(57)【要約】端末装置は、第１のＰＤＣＣＨにおいて、動的にスケジュールされる送信のためのＣ−ＲＮＴＩによってスクランブルされた第１のＣＲＣパリティビットが付加された第１の上りリンクグラントを受信し、第２のＰＤＣＣＨにおいて、セミパーシステントにスケジュールされる送信のためのＳＰＳ  Ｃ−ＲＮＴＩによってスクランブルされた第２のＣＲＣパリティビットが付加された第２の上りリンクグラントを受信し、前記第１の上りリンクグラントまたは前記第２の上りリンクグラントに基づいて、バンドルに対応する複数の送信を行い、前記複数の送信の最初の送信を除いて、前記バンドルが前記第２の上りリンクグラントに関連するかどうかに少なくとも基づいて、前記複数の送信のそれぞれに対応するリダンダンシーバージョンを決定する。
2018003913.tif 000002
【特許請求の範囲】
【請求項１】
少なくとも１つのプロセッサ、および、メモリを備え、
前記少なくとも１つのプロセッサは、
第１のＰＤＣＣＨにおいて、動的にスケジュールされる送信のためのＣ−ＲＮＴＩによってスクランブルされた第１のＣＲＣパリティビットが付加された第１の上りリンクグラントを受信し、
第２のＰＤＣＣＨにおいて、セミパーシステントにスケジュールされる送信のためのＳＰＳ  Ｃ−ＲＮＴＩによってスクランブルされた第２のＣＲＣパリティビットが付加された第２の上りリンクグラントを受信し、
前記第１の上りリンクグラントまたは前記第２の上りリンクグラントに基づいて、バンドルに対応する複数の送信を行い、
前記複数の送信の最初の送信を除いて、前記バンドルが前記第２の上りリンクグラントに関連するかどうかに少なくとも基づいて、前記複数の送信のそれぞれに対応するリダンダンシーバージョンを決定する
端末装置。
【請求項２】
少なくとも１つのプロセッサ、および、メモリを備え、
前記少なくとも１つのプロセッサは、
第１のＰＤＣＣＨにおいて、動的にスケジュールされる送信のためのＣ−ＲＮＴＩによってスクランブルされた第１のＣＲＣパリティビットが付加された第１の上りリンクグラントを送信し、
第２のＰＤＣＣＨにおいて、セミパーシステントにスケジュールされる送信のためのＳＰＳ  Ｃ−ＲＮＴＩによってスクランブルされた第２のＣＲＣパリティビットが付加された第２の上りリンクグラントを送信し、
前記第１の上りリンクグラントまたは前記第２の上りリンクグラントに基づいて、バンドルに対応する複数の送信の受信を行い、
前記複数の送信の最初の送信を除いて、前記バンドルが前記第２の上りリンクグラントに関連するかどうかに少なくとも基づいて、前記複数の送信のそれぞれに対応するリダンダンシーバージョンを決定する
基地局装置。
【請求項３】
端末装置の通信方法であって、
第１のＰＤＣＣＨにおいて、動的にスケジュールされる送信のためのＣ−ＲＮＴＩによってスクランブルされた第１のＣＲＣパリティビットが付加された第１の上りリンクグラントを受信し、
第２のＰＤＣＣＨにおいて、セミパーシステントにスケジュールされる送信のためのＳＰＳ  Ｃ−ＲＮＴＩによってスクランブルされた第２のＣＲＣパリティビットが付加された第２の上りリンクグラントを受信し、
前記第１の上りリンクグラントまたは前記第２の上りリンクグラントに基づいて、バンドルに対応する複数の送信を行い、
前記複数の送信の最初の送信を除いて、前記バンドルが前記第２の上りリンクグラントに関連するかどうかに少なくとも基づいて、前記複数の送信のそれぞれに対応するリダンダンシーバージョンを決定する
通信方法。
【請求項４】
基地局装置の通信方法であって、
第１のＰＤＣＣＨにおいて、動的にスケジュールされる送信のためのＣ−ＲＮＴＩによってスクランブルされた第１のＣＲＣパリティビットが付加された第１の上りリンクグラントを送信し、
第２のＰＤＣＣＨにおいて、セミパーシステントにスケジュールされる送信のためのＳＰＳ  Ｃ−ＲＮＴＩによってスクランブルされた第２のＣＲＣパリティビットが付加された第２の上りリンクグラントを送信し、
前記第１の上りリンクグラントまたは前記第２の上りリンクグラントに基づいて、バンドルに対応する複数の送信の受信を行い、
前記複数の送信の最初の送信を除いて、前記バンドルが前記第２の上りリンクグラントに関連するかどうかに少なくとも基づいて、前記複数の送信のそれぞれに対応するリダンダンシーバージョンを決定する
通信方法。
【発明の詳細な説明】
【技術分野】
【０００１】
本発明は、端末装置、基地局装置、通信方法、および、集積回路に関する。
本願は、２０１６年６月３０に日本に出願された特願２０１６−１２９８５１号について優先権を主張し、その内容をここに援用する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する）が、第三世代パートナーシッププロジェクト（3rd Generation Partnership Project: 3GPP）において検討されている（非特許文献１）。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。ここで、単一の基地局装置は複数のセルを管理してもよい。【０００３】
３ＧＰＰにおいて、待ち時間の縮小の強化（latency reduction enhancements）が検討されている。例えば、待ち時間の縮小の強化として、スケジューリングリクエストの高速のグラント（Scheduling request first grant）や事前にスケジュールされた高速のグラント（Pre-scheduled first grant）が検討されている（非特許文献２）。
【先行技術文献】
【非特許文献】
【０００４】
【非特許文献１】"3GPP TS 36.321 V12.6.0 (2015-06) Evolved Universal Terrestrial Radio Access (E-UTRA); Medium Access Control (MAC) protocol specification (Release 12)", 8th-July 2015.
【非特許文献２】"L2 enhancements to reduce latency", R2-153490, Ericsson, 3GPP TSG-RAN WG2#91, Beijing, China, 24-28 August 2015.
【非特許文献３】”Status Report to TSG”, RP-161022, Ericsson, 3GPP TSG-RAN meeting#72, Busan, Korea, 13-16 June 2016.
【発明の概要】
【発明が解決しようとする課題】
【０００５】
本発明の一態様は、上りリンクデータを効率的に送信することができる端末装置、基地局装置、通信方法、および、集積回路を提供する。
【課題を解決するための手段】
【０００６】
（１）上記の目的を達成するために、本発明の態様は、以下のような手段を講じた。すなわち、本発明の一様態における端末装置は、少なくとも１つのプロセッサ、および、メモリを備え、前記少なくとも１つのプロセッサは、第１のＰＤＣＣＨにおいて、動的にスケジュールされる送信のためのＣ−ＲＮＴＩによってスクランブルされた第１のＣＲＣパリティビットが付加された第１の上りリンクグラントを受信し、       第２のＰＤＣＣＨにおいて、セミパーシステントにスケジュールされる送信のためのＳＰＳ  Ｃ−ＲＮＴＩによってスクランブルされた第２のＣＲＣパリティビットが付加された第２の上りリンクグラントを受信し、前記第１の上りリンクグラントまたは前記第２の上りリンクグラントに基づいて、バンドルに対応する複数の送信を行い、前記複数の送信の最初の送信を除いて、前記バンドルが前記第２の上りリンクグラントに関連するかどうかに少なくとも基づいて、前記複数の送信のそれぞれに対応するリダンダンシーバージョンを決定する。【０００７】
（２）また、本発明の一様態における基地局装置は、少なくとも１つのプロセッサ、および、メモリを備え、前記少なくとも１つのプロセッサは、第１のＰＤＣＣＨにおいて、動的にスケジュールされる送信のためのＣ−ＲＮＴＩによってスクランブルされた第１のＣＲＣパリティビットが付加された第１の上りリンクグラントを送信し、第２のＰＤＣＣＨにおいて、セミパーシステントにスケジュールされる送信のためのＳＰＳ  Ｃ−ＲＮＴＩによってスクランブルされた第２のＣＲＣパリティビットが付加された第２の上りリンクグラントを送信し、前記第１の上りリンクグラントまたは前記第２の上りリンクグラントに基づいて、バンドルに対応する複数の送信の受信を行い、前記複数の送信の最初の送信を除いて、前記バンドルが前記第２の上りリンクグラントに関連するかどうかに少なくとも基づいて、前記複数の送信のそれぞれに対応するリダンダンシーバージョンを決定する。【０００８】
（３）また、本発明の一様態における端末装置の通信方法は、第１のＰＤＣＣＨにおいて、動的にスケジュールされる送信のためのＣ−ＲＮＴＩによってスクランブルされた第１のＣＲＣパリティビットが付加された第１の上りリンクグラントを受信し、第２のＰＤＣＣＨにおいて、セミパーシステントにスケジュールされる送信のためのＳＰＳ  Ｃ−ＲＮＴＩによってスクランブルされた第２のＣＲＣパリティビットが付加された第２の上りリンクグラントを受信し、前記第１の上りリンクグラントまたは前記第２の上りリンクグラントに基づいて、バンドルに対応する複数の送信を行い、前記複数の送信の最初の送信を除いて、前記バンドルが前記第２の上りリンクグラントに関連するかどうかに少なくとも基づいて、前記複数の送信のそれぞれに対応するリダンダンシーバージョンを決定する。【０００９】
（４）また、本発明の一様態における基地局装置の通信方法は、第１のＰＤＣＣＨにおいて、動的にスケジュールされる送信のためのＣ−ＲＮＴＩによってスクランブルされた第１のＣＲＣパリティビットが付加された第１の上りリンクグラントを送信し、第２のＰＤＣＣＨにおいて、セミパーシステントにスケジュールされる送信のためのＳＰＳ  Ｃ−ＲＮＴＩによってスクランブルされた第２のＣＲＣパリティビットが付加された第２の上りリンクグラントを送信し、前記第１の上りリンクグラントまたは前記第２の上りリンクグラントに基づいて、バンドルに対応する複数の送信の受信を行い、前記複数の送信の最初の送信を除いて、前記バンドルが前記第２の上りリンクグラントに関連するかどうかに少なくとも基づいて、前記複数の送信のそれぞれに対応するリダンダンシーバージョンを決定する。
【発明の効果】
【００１０】
この発明の一態様によれば、上りリンクデータを効率的に送信することができる。
【図面の簡単な説明】
【００１１】
【図１】本実施形態における無線通信システムの概念を示す図である。
【図２】本実施形態におけるスロットの構成を示す図である。
【図３】本実施形態における端末装置１の構成を示す概略ブロック図である。
【図４】本実施形態における基地局装置３の構成を示す概略ブロック図である。
【図５】本実施形態におけるセミパーシステントスケジューリングの活性化（activation）のためのスペシャルフィールド（Special fields）の例を示す図である。
【図６】本実施形態におけるセミパーシステントスケジューリングのリリース（release）のためのスペシャルフィールド（Special fields）の例を示す図である。
【図７】本実施形態におけるノンエンプティ送信（Non-empty transmission）およびエンプティ送信（Empty transmission）の例を説明するための図である。
【図８】本実施形態における第１の動作における設定されるグラントのクリアの方法を説明するための図である。
【図９】本実施形態における上りリンクデータの送信方法を説明するための図である。
【図１０】本実施形態におけるＮＤＩを説明するための第１の例を示す図である。
【図１１】本実施形態におけるＮＤＩを説明するための第２の例を示す図である。
【図１２】本実施形態におけるＮＤＩを説明するための第３の例を示す図である。
【図１３】本実施形態における上りリンクデータの送信方法を説明するための図である。
【図１４】本実施形態におけるコードワード（トランスポートブロック）の符号化の処理の一例を示す図である。
【図１５】本実施形態におけるレートマッチングの一例を示す図である。
【図１６】本実施形態のビット選択および除去の一例を示す図である。
【図１７】本実施形態におけるバンドル内の送信のそれぞれのためのリダンダンシーバージョンの第１の決定方法を説明するための図である。
【図１８】本実施形態におけるバンドル内の送信のそれぞれのためのリダンダンシーバージョンの第２の決定方法を説明するための図である。
【図１９】本実施形態におけるバンドル内の送信のそれぞれのためのリダンダンシーバージョンの第３の決定方法を説明するための図である。
【発明を実施するための形態】
【００１２】
以下、本発明の実施形態について説明する。
【００１３】
図１は、本実施形態における無線通信システムの概念図である。図１において、無線通信システムは、端末装置１Ａ〜１Ｃ、および基地局装置３を具備する。以下、端末装置１Ａ〜１Ｃを端末装置１とも称する。
【００１４】
本実施形態における物理チャネルおよび物理信号について説明する。
【００１５】
図１において、端末装置１から基地局装置３への上りリンクの無線通信では、以下の上りリンク物理チャネルが用いられる。ここで、上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
ＰＵＣＣＨは、上りリンク制御情報（Uplink Control Information: UCI）を送信するために用いられる。
【００１６】
ＰＵＳＣＨは、上りリンクデータ（Uplink-Shared Channel: UL-SCH）を送信するために用いられる。
【００１７】
ここで、基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource Control message、RRC information: Radio Resource Control informationとも称される）を送受信してもよい。また、基地局装置３と端末装置１は、ＭＡＣ（Medium Access Control）層において、ＭＡＣコントロールエレメントを送受信してもよい。ここで、ＲＲＣシグナリング、および／または、ＭＡＣコントロールエレメントを、上位層の信号（higher layer signaling）とも称する。
【００１８】
ＰＵＳＣＨは、ＲＲＣシグナリング、および、ＭＡＣコントロールエレメントを送信するために用いられてもよい。ここで、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）であってもよい。すなわち、ユーザー装置スペシフィック（ユーザー装置固有）な情報は、ある端末装置１に対して専用のシグナリングを用いて送信されてもよい。
【００１９】
ＰＲＡＣＨは、ランダムアクセスプリアンブルを送信するために用いられる。
【００２０】
図１において、上りリンクの無線通信では、以下の上りリンク物理信号が用いられる。ここで、上りリンク物理信号は、上位層から出力された情報を送信するために使用されないが、物理層によって使用される。
・上りリンク参照信号（Uplink Reference Signal: UL RS）
本実施形態において、以下の２つのタイプの上りリンク参照信号が用いられる。
・ＤＭＲＳ（Demodulation Reference Signal）
・ＳＲＳ（Sounding Reference Signal）
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００２１】
ＳＲＳは、ＰＵＳＣＨまたはＰＵＣＣＨの送信に関連しない。基地局装置３は、上りリンクのチャネル状態を測定するためにＳＲＳを使用する。
【００２２】
図１において、基地局装置３から端末装置１への下りリンクの無線通信では、以下の下りリンク物理チャネルが用いられる。ここで、下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
ＰＢＣＨは、端末装置１で共通に用いられるマスターインフォメーションブロック（Master Information Block: MIB, Broadcast Channel: BCH）を報知するために用いられる。
【００２３】
ＰＣＦＩＣＨは、ＰＤＣＣＨの送信に用いられる領域（ＯＦＤＭシンボル）を指示する情報を送信するために用いられる。
【００２４】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００２５】
ＰＤＣＣＨおよびＥＰＤＣＣＨは、下りリンク制御情報（Downlink Control Information: DCI）を送信するために用いられる。ここで、下りリンク制御情報の送信に対して、複数のＤＣＩフォーマットが定義される。すなわち、下りリンク制御情報に対するフィールドがＤＣＩフォーマットに定義され、情報ビットへマップされる。
【００２６】
例えば、下りリンクに対するＤＣＩフォーマットとして、１つのセルにおける１つのＰＤＳＣＨ（１つの下りリンクトランスポートブロックの送信）のスケジューリングのために用いられるＤＣＩフォーマット（例えば、ＤＣＩフォーマット１、ＤＣＩフォーマット１Ａ、および／または、ＤＣＩフォーマット１Ｃ）が定義されてもよい。
【００２７】
ここで、下りリンクに対するＤＣＩフォーマットには、ＰＤＳＣＨのスケジューリングに関する情報が含まれる。例えば、下りリンクに対するＤＣＩフォーマットには、キャリアインディケータフィールド（CIF: Carrier Indicator Field）、ＨＡＲＱプロセス番号に関する情報（HARQ process number）、ＭＣＳに関する情報（Modulation and Coding Scheme）、リダンダンシーバージョンに関する情報（Redundancy version）、および／または、リソースブロック割り当てに関する情報（Resource block assignment）などの下りリンク制御情報が含まれる。ここで、下りリンクに対するＤＣＩフォーマットを、下りリンクグラント（downlink grant）、および／または、下りリンクアサインメント（downlink assignment）とも称する。
【００２８】
また、例えば、上りリンクに対するＤＣＩフォーマットとして、１つのセルにおける１つのＰＵＳＣＨ（１つの上りリンクトランスポートブロックの送信）のスケジューリングのために用いられるＤＣＩフォーマット（例えば、ＤＣＩフォーマット０、ＤＣＩフォーマット４）が定義される。
【００２９】
ここで、上りリンクに対するＤＣＩフォーマットには、ＰＵＳＣＨのスケジューリングに関する情報が含まれる。例えば、上りリンクに対するＤＣＩフォーマットには、キャリアインディケータフィールド（CIF: Carrier Indicator Field）、スケジュールされたＰＵＳＣＨに対する送信電力コマンド（ＴＰＣコマンド）に関する情報（TPC command for scheduled PUSCH）、ＤＭＲＳに対するサイクリックシフトに関する情報（Cyclic shift DMRS）、ＭＣＳおよび／またはリダンダンシーバージョンに関する情報（Modulation and coding scheme and/or redundancy version）、および／または、リソースブロック割り当ておよび／またはホッピングリソース割り当てに関する情報（Resource block assignment and/or hopping resource allocation）、ＮＤＩ（New Data Indicator）などの下りリンク制御情報が含まれる。ここで、上りリンクに対するＤＣＩフォーマットを、上りリンクグラント（uplink grant）、および／または、上りリンクアサインメント（Uplink assignment）とも称する。ＮＤＩ、および、リダンダンシーバージョンをＨＡＲＱ情報とも称する。
【００３０】
端末装置１は、下りリンクアサインメントを用いてＰＤＳＣＨのリソースがスケジュールされた場合、スケジュールされたＰＤＳＣＨで下りリンクデータを受信してもよい。また、端末装置１は、上りリンクグラントを用いてＰＵＳＣＨのリソースがスケジュールされた場合、スケジュールされたＰＵＳＣＨで上りリンクデータおよび／または上りリンク制御情報を送信してもよい。
【００３１】
ここで、下りリンク制御情報の送信（ＰＤＣＣＨでの送信）には、基地局装置３が、端末装置１に割り当てたＲＮＴＩが利用される。具体的には、ＤＣＩフォーマット（下りリンク制御情報でもよい）にＣＲＣ（Cyclic Redundancy check: 巡回冗長検査）パリティビットが付加され、付加された後に、ＣＲＣパリティビットがＲＮＴＩによってスクランブルされる。ここで、ＤＣＩフォーマットに付加されるＣＲＣパリティビットは、ＤＣＩフォーマットのペイロードから得られてもよい。
【００３２】
端末装置１は、ＲＮＴＩによってスクランブルされたＣＲＣパリティビットが付加されたＤＣＩフォーマットに対してデコードを試み、ＣＲＣが成功したＤＣＩフォーマットを、自装置宛のＤＣＩフォーマットとして検出する（ブラインドデコーディングとも称される）。すなわち、端末装置１は、ＲＮＴＩによってスクランブルされたＣＲＣを伴うＰＤＣＣＨを検出してもよい。また、端末装置１は、ＲＮＴＩによってスクランブルされたＣＲＣパリティビットが付加されたＤＣＩフォーマットを伴うＰＤＣＣＨを検出してもよい。
【００３３】
ここで、ＲＮＴＩには、Ｃ−ＲＮＴＩ（Cell-Radio Network Temporary Identifier）が含まれてもよい。Ｃ−ＲＮＴＩは、ＲＲＣ接続およびスケジューリングの識別に対して使用される、端末装置１に対するユニークな（一意的な）識別子である。また、Ｃ−ＲＮＴＩは、動的（dynamically）にスケジュールされるユニキャスト送信のために利用されてもよい。Ｃ−ＲＮＴＩによってスクランブルされたＣＲＣパリティビットが付加された上りリンクグラントを、ＤＳ（Dynamic Scheduling）グラント、Ｃ−ＲＮＴＩに関連する上りリンクグラント、Ｃ−ＲＮＴＩにアドレスされる上りリンクグラントとも称する。
【００３４】
また、ＲＮＴＩには、ＳＰＳ  Ｃ−ＲＮＴＩ（Semi-Persistent Scheduling C-RNTI）が含まれてもよい。ＳＰＳ  Ｃ−ＲＮＴＩは、セミパーシステントスケジューリングに対して使用される、端末装置１に対するユニークな（一意的な）識別子である。また、ＳＰＳ  Ｃ−ＲＮＴＩは、半持続的（semi-persistently）にスケジュールされるユニキャスト送信のために利用されてもよい。
【００３５】
ここで、半持続的にスケジュールされる送信とは、周期的（periodically）にスケジュールされる送信の意味が含まれる。例えば、ＳＰＳ  Ｃ−ＲＮＴＩは、半持続的にスケジュールされる送信の活性化（activation）、再活性化（reactivation）、および／または、再送信（retransmission）のために利用されてもよい。以下、活性化には、再活性化、および／または、再送信の意味が含まれてもよい。
【００３６】
また、ＳＰＳ  Ｃ−ＲＮＴＩは、半持続的にスケジュールされた送信のリリース（release）および／または非活性化（deactivation）のために利用されてもよい。以下、リリースには、非活性化の意味が含まれてもよい。ここで、待ち時間の縮小のために、新たに、ＲＮＴＩが規定されてもよい。例えば、本実施形態におけるＳＰＳ  Ｃ−ＲＮＴＩは、待ち時間の縮小のために新たに規定されるＲＮＴＩが含まれてもよい。
【００３７】
ＰＤＳＣＨは、下りリンクデータ（Downlink Shared Channel: DL-SCH）を送信するために用いられる。また、ＰＤＳＣＨは、システムインフォメーションメッセージを送信するために用いられる。ここで、システムインフォメーションブメッセージは、セルスペシフィック（セル固有）な情報であってもよい。また、システムインフォメーションは、ＲＲＣシグナリングに含まれる。また、ＰＤＳＣＨは、ＲＲＣシグナリング、および、ＭＡＣコントロールエレメントを送信するために用いられる。
【００３８】
ＰＭＣＨは、マルチキャストデータ（Multicast Channel: MCH）を送信するために用いられる。
【００３９】
図１において、下りリンクの無線通信では、以下の下りリンク物理信号が用いられる。ここで、下りリンク物理信号は、上位層から出力された情報を送信するために使用されないが、物理層によって使用される。
・同期信号（Synchronization signal: SS）
・下りリンク参照信号（Downlink Reference Signal: DL RS）
同期信号は、端末装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００４０】
下りリンク参照信号は、端末装置１が下りリンク物理チャネルの伝搬路補正を行なうために用いられる。ここで、下りリンク参照信号は、端末装置１が下りリンクのチャネル状態情報を算出するために用いられる。
【００４１】
ここで、下りリンク物理チャネルおよび下りリンク物理信号を総称して、下りリンク信号と称する。また、上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００４２】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００４３】
以下、キャリアアグリゲーションについて説明する。
【００４４】
本実施形態において、端末装置１に対して、１つまたは複数のサービングセルが設定されてもよい。端末装置１が複数のサービングセルを介して通信する技術をセルアグリゲーション、または、キャリアアグリゲーションと称する。
【００４５】
ここで、端末装置１に対して設定される１つまたは複数のサービングセルのそれぞれにおいて、本実施形態が適用されてもよい。また、端末装置１に対して設定される１つまたは複数のサービングセルの一部において、本実施形態が適用されてもよい。また、端末装置１に対して設定される１つまたは複数のサービングセルのグループのそれぞれにおいて、本実施形態が適用されてもよい。
【００４６】
また、本実施形態において、ＴＤＤ（Time Division Duplex）および／またはＦＤＤ（Frequency Division Duplex）が適用されてもよい。ここで、キャリアアグリゲーションの場合において、１つまたは複数のサービングセルの全てに対してＴＤＤまたはＦＤＤが適用されてもよい。また、キャリアアグリゲーションの場合において、ＴＤＤが適用されるサービングセルとＦＤＤが適用されるサービングセルが集約されてもよい。ここで、ＦＤＤに対応するフレーム構造を、フレーム構造タイプ１（Frame structure type 1）とも称する。また、ＴＤＤに対応するフレーム構造を、フレーム構造タイプ２（Frame structure type 2）とも称する。
【００４７】
ここで、設定される１つまたは複数のサービングセルには、１つのプライマリーセルと、１つまたは複数のセカンダリーセルとが含まれてもよい。例えば、プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルであってもよい。ここで、ＲＲＣコネクションが確立された時点、または、後に、セカンダリーセルが設定されてもよい。
【００４８】
ここで、下りリンクにおいて、サービングセルに対応するキャリアを、下りリンクコンポーネントキャリアと称する。また、上りリンクにおいて、サービングセルに対応するキャリアを、上りリンクコンポーネントキャリアと称する。また、下りリンクコンポーネントキャリア、および、上りリンクコンポーネントキャリアを総称して、コンポーネントキャリアと称する。
【００４９】
また、端末装置１は、１つまたは複数のサービングセル（コンポーネントキャリア）において、同時に複数の物理チャネルでの送信、および／または受信を行ってもよい。ここで、１つの物理チャネルは、複数のサービングセル（コンポーネントキャリア）のうち１つのサービングセル（コンポーネントキャリア）において送信されてもよい。
【００５０】
時間領域における種々のフィールドのサイズは、時間ユニットTs=1/(15000・2048)秒の数によって表現される。無線フレームの長さは、Tf=307200・Ts=10msである。それぞれの無線フレームは、時間領域において連続する１０のサブフレームを含む。それぞれのサブフレームの長さは、Tsubframe=30720・Ts=1msである。それぞれのサブフレームｉは、時間領域において連続する２つのスロットを含む。該時間領域において連続する２つのスロットは、無線フレーム内のスロット番号nsが２ｉのスロット、および、無線フレーム内のスロット番号nsが２ｉ＋１のスロットである。それぞれのスロットの長さは、Tslot=153600・ns=0.5msである。それぞれの無線フレームは、時間領域において連続する１０のサブフレームを含む。それぞれの無線フレームは、時間領域において連続する２０のスロット（ns=0,1,…,19）を含む。すなわち、無線フレーム、サブフレーム、および、スロットは、時間領域におけるフィールドである。時間領域におけるフィールドを、ＴＴＩ（Transmission Time Interval）とも称する。
【００５１】
以下、本実施形態におけるスロットの構成について説明する。
【００５２】
図２は、本実施形態におけるスロットの構成を示す図である。図２において、横軸は時間軸を示しており、縦軸は周波数軸を示している。ここで、ＯＦＤＭシンボルに対してノーマルＣＰ（normal Cyclic Prefix）が適用されてもよい。また、ＯＦＤＭシンボルに対して拡張ＣＰ（extended Cyclic Prefix）が適用されてもよい。また、スロットのそれぞれにおいて送信される物理信号または物理チャネルは、リソースグリッドによって表現される。
【００５３】
ここで、下りリンクにおいて、リソースグリッドは、複数のサブキャリアと複数のＯＦＤＭシンボルによって定義されてもよい。また、上りリンクにおいて、リソースグリッドは、複数のサブキャリアと複数のＳＣ−ＦＤＭＡシンボルによって定義されてもよい。また、１つのスロットを構成するサブキャリアの数は、セルの帯域幅に依存してもよい。１つのスロットを構成するＯＦＤＭシンボルまたはＳＣ−ＦＤＭＡシンボルの数は７であってもよい。ここで、リソースグリッド内のエレメントのそれぞれはリソースエレメントと称される。また、リソースエレメントは、サブキャリアの番号とＯＦＤＭシンボルまたはＳＣ−ＦＤＭＡシンボルの番号とを用いて識別されてもよい。
【００５４】
ここで、リソースブロックは、ある物理チャネル（ＰＤＳＣＨまたはＰＵＳＣＨなど）のリソースエレメントへのマッピングを表現するために用いられてもよい。また、リソースブロックは、仮想リソースブロックと物理リソースブロックが定義されてもよい。ある物理チャネルは、まず仮想リソースブロックにマップされてもよい。その後、仮想リソースブロックは、物理リソースブロックにマップされてもよい。１つの物理リソースブロックは、時間領域において７個の連続するＯＦＤＭシンボルまたはＳＣ−ＦＤＭＡシンボルと、周波数領域において１２個の連続するサブキャリアとから定義されてもよい。したがって、１つの物理リソースブロックは（７×１２）個のリソースエレメントから構成されてもよい。また、１つの物理リソースブロックは、時間領域において１つのスロットに対応し、周波数領域において１８０ｋＨｚに対応してもよい。また、物理リソースブロックは、周波数領域において０から番号が付けられてもよい。
【００５５】
以下、本実施形態における装置の構成について説明する。
【００５６】
図３は、本実施形態における端末装置１の構成を示す概略ブロック図である。図に示すように、端末装置１は、上位層処理部１０１、制御部１０３、受信部１０５、送信部１０７と送受信アンテナ部１０９を含んで構成される。また、上位層処理部１０１は、無線リソース制御部１０１１、スケジューリング情報解釈部１０１３、および、ＳＰＳ制御部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【００５７】
上位層処理部１０１は、ユーザーの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００５８】
上位層処理部１０１が備える無線リソース制御部１０１１は、自装置の各種設定情報／パラメータの管理をする。無線リソース制御部１０１１は、基地局装置３から受信した上位層の信号に基づいて各種設定情報／パラメータをセットする。すなわち、無線リソース制御部１０１１は、基地局装置３から受信した各種設定情報／パラメータを示す情報に基づいて各種設定情報／パラメータをセットする。また、無線リソース制御部１０１１は、上りリンクの各チャネルに配置される情報を生成し、送信部１０７に出力する。無線リソース制御部１０１１を設定部１０１１とも称する。
【００５９】
ここで、上位層処理部１０１が備えるスケジューリング情報解釈部１０１３は、受信部１０５を介して受信したＤＣＩフォーマット（スケジューリング情報）の解釈をし、前記ＤＣＩフォーマットを解釈した結果に基づき、受信部１０５、および送信部１０７の制御を行なうために制御情報を生成し、制御部１０３に出力する。
【００６０】
また、上位層処理部１０１が備えるＳＰＳ制御部１０１５は、各種設定情報、および、パラメータなどＳＰＳに関連する情報、状況に基づいて、ＳＰＳに関連する制御を行う。
【００６１】
また、制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【００６２】
また、受信部１０５は、制御部１０３から入力された制御信号に従って、送受信アンテナ部１０９を介して基地局装置３から受信した受信信号を、分離、復調、復号し、復号した情報を上位層処理部１０１に出力する。
【００６３】
また、無線受信部１０５７は、送受信アンテナ部１０９を介して受信した下りリンクの信号を、直交復調によりベースバンド信号に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【００６４】
また、多重分離部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨ、ＰＤＣＣＨ、ＥＰＤＣＣＨ、およびＰＤＳＣＨの伝搬路の補償を行なう。また、多重分離部１０５５は、分離した下りリンク参照信号をチャネル測定部１０５９に出力する。
【００６５】
また、復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはＥＰＤＣＣＨに対して、ＱＰＳＫ変調方式の復調を行ない、復号化部１０５１へ出力する。復号化部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。
【００６６】
また、復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【００６７】
また、チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。チャネル測定部１０５９は、ＣＱＩ（ＣＳＩでもよい）の算出のために、チャネル測定、および／または、干渉測定を行なう。
【００６８】
また、送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ部１０９を介して基地局装置３に送信する。また、送信部１０７は、上りリンク制御情報を送信する。
【００６９】
また、符号化部１０７１は、上位層処理部１０１から入力された上りリンク制御情報を畳み込み符号化、ブロック符号化等の符号化を行う。また、符号化部１０７１は、ＰＵＳＣＨのスケジューリングに用いられる情報に基づきターボ符号化を行なう。
【００７０】
また、変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ（Multiple Input Multiple Output）ＳＭ（Spatial Multiplexing）を用いることにより同一のＰＵＳＣＨで送信される複数の上りリンクデータを、複数の系列にマッピングし、この系列に対してプレコーディング（precoding）を行なう。
【００７１】
また、上りリンク参照信号生成部１０７９は、基地局装置３を識別するための物理レイヤセル識別子（physical layer cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【００７２】
また、無線送信部１０７７は、多重された信号を逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、ローパスフィルタを用いて余分な周波数成分を除去し、搬送波周波数にアップコンバート（up convert）し、電力増幅し、送受信アンテナ部１０９に出力して送信する。
【００７３】
図４は、本実施形態における基地局装置３の構成を示す概略ブロック図である。図に示すように、基地局装置３は、上位層処理部３０１、制御部３０３、受信部３０５、送信部３０７、および、送受信アンテナ部３０９、を含んで構成される。また、上位層処理部３０１は、無線リソース制御部３０１１、スケジューリング部３０１３、および、ＳＰＳ制御部３０１５を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【００７４】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【００７５】
また、上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、送信部３０７に出力する。また、無線リソース制御部３０１１は、端末装置１各々の各種設定情報／パラメータの管理をする。無線リソース制御部３０１１は、上位層の信号を介して端末装置１各々に対して各種設定情報／パラメータをセットしてもよい。すなわち、無線リソース制御部１０１１は、各種設定情報／パラメータを示す情報を送信／報知する。無線リソース制御部３０１１を設定部３０１１とも称する。
【００７６】
また、上位層処理部３０１が備えるスケジューリング部３０１３は、受信したチャネル状態情報およびチャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報（例えば、ＤＣＩフォーマット）を生成し、制御部３０３に出力する。スケジューリング部３０１３は、さらに、送信処理および受信処理を行うタイミングを決定する。
【００７７】
また、上位層処理部３０１が備えるＳＰＳ制御部３０１５は、各種設定情報、および、パラメータなどＳＰＳに関連する情報、状況に基づいて、ＳＰＳに関連する制御を行う。
【００７８】
また、制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【００７９】
また、受信部３０５は、制御部３０３から入力された制御信号に従って、送受信アンテナ部３０９を介して端末装置１から受信した受信信号を分離、復調、復号し、復号した情報を上位層処理部３０１に出力する。無線受信部３０５７は、送受信アンテナ部３０９を介して受信された上りリンクの信号を、直交復調によりベースバンド信号に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。また、受信部３０５は、上りリンク制御情報を受信する。
【００８０】
また、無線受信部３０５７は、変換したディジタル信号からＣＰ（Cyclic Prefix）に相当する部分を除去する。無線受信部３０５７は、ＣＰを除去した信号に対して高速フーリエ変換（Fast Fourier Transform: FFT）を行い、周波数領域の信号を抽出し多重分離部３０５５に出力する。
【００８１】
また、多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【００８２】
また、復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が端末装置１各々に上りリンクグラントで予め通知した変調方式を用いて受信信号の復調を行なう。復調部３０５３は、端末装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【００８３】
また、復号化部３０５１は、復調されたＰＵＣＣＨとＰＵＳＣＨの符号化ビットを、予め定められた符号化方式の、予め定められた、又は自装置が端末装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【００８４】
また、送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ部３０９を介して端末装置１に信号を送信する。
【００８５】
また、符号化部３０７１は、上位層処理部３０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【００８６】
また、下りリンク参照信号生成部３０７９は、基地局装置３を識別するための物理レイヤセル識別子（ＰＣＩ）などを基に予め定められた規則で求まる、端末装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【００８７】
また、無線送信部３０７７は、多重された変調シンボルなどを逆高速フーリエ変換（Inverse Fast Fourier Transform: IFFT）して、ＯＦＤＭシンボルを生成し、生成したＯＦＤＭシンボルにＣＰを付加し、ベースバンドのディジタル信号を生成し、ベースバンドのディジタル信号をアナログ信号に変換し、ローパスフィルタにより余分な周波数成分を除去し、搬送波周波数にアップコンバート（up convert）し、電力増幅し、送受信アンテナ部３０９に出力して送信する。
【００８８】
また、本実施形態では、端末装置１における処理を説明するために、端末装置１におけるＭＡＣエンティティ、端末装置１における”Ｍｕｌｔｉｐｌｅｘｉｎｇ  ａｎｄ  ａｓｓｅｍｂｌｙ”エンティティ（以下、第１のエンティティとも称する）、および／または、端末装置１におけるＨＡＲＱエンティティにおける処理を記載している。すなわち、本実施形態においては端末装置１におけるＭＡＣエンティティ、端末装置１における第１のエンティティ、および／または、端末装置１におけるＨＡＲＱエンティティにおける処理を記載しているが、本実施形態における処理は、端末装置１における処理であることは勿論である。上位層処理部１０１は、端末装置１におけるＭＡＣエンティティ、端末装置１におけるＨＡＲＱエンティティ、および、端末装置１における第１のエンティティの処理を行ってもよい。また、エンティティはエンティティ部として構成されてもよい。ＨＡＲＱエンティティは、少なくとも１つのＨＡＲＱプロセスを管理する。
【００８９】
また、本実施形態では、基本的には、端末装置１における動作（処理）を記載するが、端末装置１の動作（処理）に対応して、基地局装置３が同様の動作（処理）を行なうことは勿論である。
【００９０】
端末装置１、および、基地局装置３のそれぞれは、少なくとも１つのプロセッサ、および、メモリを備えてもよい。当該少なくとも１つのプロセッサ、および、当該メモリは、上述した端末装置１の各部、または、上述した基地局装置３の各部の機能を備えてもよい。
【００９１】
ここで、ＰＵＳＣＨでの送信（ＵＬ−ＳＣＨでの送信でもよい）は、ＳＦＮ（System Fame Number）およびサブフレームに基づいたタイミングで行われる。すなわち、ＰＵＳＣＨでの送信を行うタイミングを特定するためには、ＳＦＮおよび該ＳＦＮが対応する無線フレームにおけるサブフレームの番号／インデックスが必要である。ここで、ＳＦＮは、無線フレームの番号／インデックスである。
【００９２】
以下、説明の簡略化のために、ＰＵＳＣＨでの送信が行われるＳＦＮ（無線フレーム）およびサブフレームを、単に、サブフレームとも記載する。すなわち、以下の記載におけるサブフレームは、ＳＦＮ（無線フレーム）およびサブフレームの意味を含んでもよい。
【００９３】
ここで、基地局装置３は、上りリンクにおけるセミパーシステントスケジューリングのインターバル（周期）を、端末装置１に対して設定してもよい。例えば、基地局装置３は、上りリンクにおけるセミパーシステントスケジューリングのインターバルの値を指示するための第１のパラメータ、および／または、第２のパラメータを、上位層の信号（ＲＲＣメッセージ）に含めて端末装置１に送信してもよい。
【００９４】
例えば、基地局装置３は、第１のパラメータ、および／または、第２のパラメータを用いて、セミパーシステントスケジューリングのインターバルの値として、１０（１０サブフレーム）、２０（２０サブフレーム）、３２（３２サブフレーム）、４０（４０サブフレーム）、６４（６４サブフレーム）、８０（８０サブフレーム）、１２８（１２８サブフレーム）、１６０（１６０サブフレーム）、３２０（３２０サブフレーム）、および／または、６４０（６４０サブフレーム）を設定してもよい。
【００９５】
また、基地局装置３は、第１のパラメータ、および／または、第２のパラメータを用いて、セミパーシステントスケジューリングのインターバルの値として、１（１サブフレーム）、１０（１０サブフレーム）、２０（２０サブフレーム）、３２（３２サブフレーム）、４０（４０サブフレーム）、６４（６４サブフレーム）、８０（８０サブフレーム）、１２８（１２８サブフレーム）、１６０（１６０サブフレーム）、３２０（３２０サブフレーム）、および／または、６４０（６４０サブフレーム）を設定してもよい。
【００９６】
すなわち、基地局装置３は、第１のパラメータ、および／または、第２のパラメータを用いて、セミパーシステントスケジューリングのインターバルの値として、１（１サブフレーム）を設定してもよい。
【００９７】
例えば、第１のパラメータ、および／または、第２のパラメータは、サービングセル毎に設定されてもよい。また、第１のパラメータは、プライマリーセルに対して設定されてもよい。また、第２のパラメータは、プライマリーセル、および／または、セカンダリーセルに対して設定されてもよい（サービングセル毎に設定されてもよい）。また、セミパーシステントスケジューリングのインターバルの値“１（１サブフレーム）”は、プライマリーセル、および／または、セカンダリーセルに対して設定されてもよい（サービングセル毎に設定されてもよい）。
【００９８】
また、基地局装置３は、上りリンクに対するＤＣＩフォーマット（例えば、ＤＣＩフォーマット０）を用いて、端末装置１に対してセミパーシステント（半永続的、半持続的、周期的）なＰＵＳＣＨのリソース（物理リソースブロック）を割り当て、且つ、セミパーシステントなＰＵＳＣＨでの送信を活性化することを端末装置１に対して指示してもよい。また、基地局装置３は、上りリンクに対するＤＣＩフォーマットを用いて、セミパーシステントなＰＵＳＣＨのリソースをリリースすることを端末装置１に対して指示してもよい。
【００９９】
例えば、端末装置１は、ＤＣＩフォーマットに付加されたＣＲＣパリティビットがＳＰＳ  Ｃ−ＲＮＴＩによってスクランブルされており、且つ、該ＤＣＩフォーマットに含まれるＮＤＩフィールドが‘０’にセットされている場合には、該ＤＣＩフォーマットに含まれる複数の情報のフィールドが特定の値にセットされているかを検証（確認、チェック）してもよい。すなわち、ＳＰＳ  Ｃ−ＲＮＴＩによってスクランブルされたＤＣＩフォーマットに付加されたＣＲＣパリティビット、および、ＮＤＩフィールドが、セミパーシステントスケジューリングに対するバリデーション（validation）のために用いられてもよい。
【０１００】
ここで、もし検証に成功した場合は、端末装置１は、受信したＤＣＩフォーマットが、有効（valid）なセミパーシステントアクティベーション、または、有効なセミパーシステントリリースを指示しているとみなしてもよい（認識してもよい）。また、もし検証に成功しなかった場合は、端末装置１は、このＤＣＩフォーマットを破棄（クリア）してもよい。
【０１０１】
ここで、セミパーシステントアクティベーションとは、セミパーシステントスケジューリングのアクティベーションの意味が含まれてもよい。また、セミパーシステントアクティベーションとは、ＰＵＳＣＨのリソースのセミパーシステントな割り当ての意味が含まれてもよい。また、セミパーシステントリリースとは、セミパーシステントスケジューリングのリリースの意味が含まれてもよい。
【０１０２】
すなわち、ＤＣＩフォーマットは、セミパーシステントな上りリンクのスケジューリングのアクティベーションを指示するために用いられてもよい。また、ＤＣＩフォーマットは、セミパーシステントスケジューリングのアクティベーションを有効にするために用いられてもよい。また、ＤＣＩフォーマットは、セミパーシステントリリースを指示するために用いられてもよい。
【０１０３】
図５は、本実施形態におけるセミパーシステントスケジューリングの活性化（activation）のためのスペシャルフィールド（Special fields）の例を示す図である。図５に示すように、セミパーシステントスケジューリングの活性化のために、複数のフィールドが規定されてもよい。また、セミパーシステントスケジューリングの活性化のために、複数のフィールドのそれぞれにセットされる所定の値（特定の値でもよい）が規定されてもよい。
【０１０４】
図５に示すように、例えば、上りリンクに対するＤＣＩフォーマット（例えば、ＤＣＩフォーマット０）がセミパーシステントスケジュールの活性化に用いられる場合には、上りリンクに対するＤＣＩフォーマットに含まれる、スケジュールされたＰＵＳＣＨに対するＴＰＣコマンドに関する情報（TPC command for scheduled PUSCH）のフィールドが‘００’にセットされ、ＤＭＲＳに対するサイクリックシフトに関する情報（Cyclic shiftDMRS）のフィールドが‘０００’にセットされ、ＭＣＳおよびリダンダンシーバージョンに関する情報（Modulation and coding scheme and redundancy version）のフィールドの最上位のビット（MSB: most significant bit）が‘０’にセットされてもよい。
【０１０５】
また、例えば、下りリンクに対するＤＣＩフォーマット（例えば、ＤＣＩフォーマット１、および／または、ＤＣＩフォーマット１Ａ）がセミパーシステントスケジュールの活性化に用いられる場合には、下りリンクに対するＤＣＩフォーマットに含まれる、ＨＡＲＱプロセス番号に関する情報（HARQ process number）のフィールドが‘０００（ＦＤＤに対して）’または‘００００（ＴＤＤに対して）’にセットされ、ＭＣＳに関する情報（Modulation and Coding scheme）のフィールドの最上位のビット（MSB）が‘０’にセットされ、リダンダンシーバージョンに関する情報（redundancy version）のフィールドが‘００’にセットされてもよい。
【０１０６】
すなわち、端末装置１は、ＤＣＩフォーマットに含まれる複数の情報のフィールドのそれぞれが、予め規定された特定の値にセットされている場合に、セミパーシステントスケジューリングを活性化してもよい。ここで、セミパーシステントスケジューリングの活性化のために用いられる、複数の情報のフィールド、および、該情報のフィールドがセットされる所定の値は、上述した例に限定されないことは勿論である。例えば、セミパーシステントスケジューリングの活性化のために用いられる、複数の情報のフィールド、および、該情報のフィールドがセットされる所定の値は、仕様などによって予め定義され、基地局装置３と端末装置１との間で既知の情報としておいてもよい。
【０１０７】
図６は、本実施形態におけるセミパーシステントスケジューリングのリリース（release）のためのスペシャルフィールド（Special fields）の例を示す図である。図６に示すように、セミパーシステントスケジューリングのリリースのために、複数のフィールドが規定されてもよい。また、セミパーシステントスケジューリングのリリースのために、複数のフィールドのそれぞれにセットされる所定の値（特定の値でもよい）が規定されてもよい。
【０１０８】
図６に示すように、例えば、上りリンクに対するＤＣＩフォーマット（例えば、ＤＣＩフォーマット０）がセミパーシステントスケジュールのリリースに用いられる場合には、上りリンクに対するＤＣＩフォーマットに含まれる、スケジュールされたＰＵＳＣＨに対するＴＰＣコマンドに関する情報（TPC command for scheduled PUSCH）のフィールドが‘００’にセットされ、ＤＭＲＳに対するサイクリックシフトに関する情報（Cyclic shift DMRS）のフィールドが‘０００’にセットされ、ＭＣＳおよびリダンダンシーバージョンに関する情報（Modulation and coding scheme and redundancy version）のフィールドが‘１１１１１’にセットされ、リソースブロック割り当ておよびホッピングリソース割り当てに関する情報（Resource block assignment and hopping resource allocation）のフィールド（複数のフィールドの全てのフィールドでもよい）が‘１’セットされてもよい。
【０１０９】
すなわち、上りリンクに対するＤＣＩフォーマットがセミパーシステントスケジューリングのリリースに用いられる場合には、リソースブロック割り当て（リソース割り当て）に関連するフィールドには、リリースのために予め規定された値がセットされてもよい。
【０１１０】
また、例えば、下りリンクに対するＤＣＩフォーマット（例えば、ＤＣＩフォーマット１、および／または、ＤＣＩフォーマット１Ａ）がセミパーシステントスケジュールのリリースに用いられる場合には、下りリンクに対するＤＣＩフォーマットに含まれる、ＨＡＲＱプロセス番号に関する情報（HARQ process number）のフィールドが‘０００（ＦＤＤに対して）’または‘００００（ＴＤＤに対して）’にセットされ、ＭＣＳに関する情報（Modulation and Coding scheme）のフィールドが‘１１１１１’にセットされ、リダンダンシーバージョンに関する情報（redundancy version）のフィールドが‘００’にセットされ、リソースブロック割り当てに関する情報（Resource block assignment）のフィールド（複数のフィールドの全てのフィールドでもよい）が‘１’セットされてもよい。
【０１１１】
すなわち、下りリンクに対するＤＣＩフォーマットがセミパーシステントスケジューリングのリリースに用いられる場合には、リソースブロック割り当て（リソース割り当て）に関連するフィールドには、リリースのために予め規定された値がセットされてもよい。
【０１１２】
すなわち、端末装置１は、ＤＣＩフォーマットに含まれる複数の情報のフィールドのそれぞれが、予め規定された特定の値にセットされている場合に、セミパーシステントスケジューリングをリリースしてもよい。ここで、セミパーシステントスケジューリングのリリースのために用いられる、複数の情報のフィールド、および、該情報のフィールドがセットされる所定の値は、上述した例に限定されないことは勿論である。例えば、セミパーシステントスケジューリングのリリースのために用いられる、複数の情報のフィールド、および、該情報のフィールドがセットされる所定の値は、仕様などによって予め定義され、基地局装置３と端末装置１との間で既知の情報としておいてもよい。
【０１１３】
ここで、セミパーシステントスケジューリングは、プライマリーセル、および、プライマリーセカンダリーセルのみにおいてサポートされてもよい。すなわち、ＳＰＳ  Ｃ−ＲＮＴＩによってスクランブルされたＣＲＣパリティビットが付加されたＤＣＩフォーマットは、プライマリーセル、および、プライマリーセカンダリーセルのみに対して送信されてもよい。また、Ｃ−ＲＮＴＩによってスクランブルされたＣＲＣパリティビットが付加されたＤＣＩフォーマットは、プライマリーセル、プライマリーセカンダリーセル、および／または、セカンダリーセルに対して送信されてもよい。
【０１１４】
また、例えば、ＳＰＳ  Ｃ−ＲＮＴＩによってスクランブルされたＣＲＣパリティビットが付加されたＤＣＩフォーマットは、セミパーシステントスケジューリングのインターバルの値として“１（１サブフレーム）”がセカンダリーセルに対して設定される場合において、該セカンダリーセルに対して送信されてもよい。
【０１１５】
ここで、端末装置１は、ＵＬ−ＳＣＨでの送信（ＰＵＳＣＨを経由したＵＬ−ＳＣＨでの送信、ＰＵＳＣＨでのＵＬ−ＳＣＨの送信）を行なうために、有効な上りリンクグラント（a valid uplink grant）を持たなければならない。ここで、上りリンクグラントとは、あるサブフレームにおける上りリンクの送信がグラントされる（許可される、与えられる）ことの意味が含まれてもよい。
【０１１６】
例えば、有効な上りリンクグラントは、ＰＤＣＣＨで動的に受信されてもよい。すなわち、有効な上りリンクグラントは、Ｃ−ＲＮＴＩによってスクランブルされたＣＲＣパリティビットが付加されたＤＣＩフォーマットを用いて指示されてもよい。また、有効な上りリンクグラントは、半永続的に設定されてもよい。すなわち、有効な上りリンクグラントは、ＳＰＳ  Ｃ−ＲＮＴＩによってスクランブルされたＣＲＣパリティビットが付加されたＤＣＩフォーマットを用いて指示されてもよい。
【０１１７】
また、端末装置１は、ＰＤＣＣＨで動的に受信された上りリンクグラント、および／または、半永続的に設定された上りリンクグラントを、ストアしてもよい。ここで、ＨＡＲＱエンティティは、ＰＤＣＣＨで動的に受信された上りリンクグラント、および／または、半永続的に設定された上りリンクグラントを、ＨＡＲＱプロセスに渡し、ＨＡＲＱプロセスは、ＨＡＲＱエンティティから受信した上りリンクグラントをストアしてもよい。以下、ストアされる、ＰＤＣＣＨで動的に受信された上りリンクグラント、および／または、半永続的に設定された上りリンクグラントを、ストアされる上りリンクグラント（a stored uplink grant）と称する。
【０１１８】
また、端末装置１（ＭＡＣエンティティ）は、セミパーシステントアクティベーションが指示された場合には、設定される上りリンクグラント（a configured uplink grant）として、基地局装置３から受信したＤＣＩフォーマットをストアしてもよい。ここで、設定される上りリンクグラントは、設定されるセミパーシステントスケジューリングの上りリンクグラント（SPS UL grant）、設定されるグラント）、ＳＰＳ  Ｃ−ＲＮＴＩにアドレスされる上りリンクグラントと称されてもよい。また、設定される上りリンクグラントは、設定された上りリンクグラント、設定されたセミパーシステントスケジューリングの上りリンクグラント（SPS UL grant）、設定されるグラントと称されてもよい。
【０１１９】
ここで、ＭＡＣエンティティによってストアされる上りリンクグラント（SPS UL grant）がクリアされたとことに基づいて、ＨＡＲＱプロセスによってストアされる上りリンクグラント（SPS UL grant）はクリアされなくてもよい。すなわち、ＭＡＣエンティティによってストアされる上りリンクグラント（SPS UL grant）がクリアされたとしても、ＨＡＲＱプロセスによってストアされる上りリンクグラント（SPS UL grant）に基づいて、セミパーシステントなＰＵＳＣＨに対する再送信を続行することは可能である。
【０１２０】
また、セミパーシステントスケジューリングの上りリンクグラントは、ＳＰＳ上りリンクグラント、セミパーシステントグラント（Semi-persistent grant）、セミパーシステントスケジューリングアサインメント（Semi-persistent scheduling assignment）、ＳＰＳ  Ｃ−ＲＮＴＩにアドレスされる上りリンクグラントとも称されてもよい。
【０１２１】
また、基地局装置３は、セミパーシステントスケジューリングの有効、および／または、無効を、端末装置１に対して設定してもよい。例えば、基地局装置３は、セミパーシステントスケジューリングの有効、および／または、無効を、上位層の信号（例えば、ＲＲＣ層の信号）を用いて設定してもよい。
【０１２２】
また、セミパーシステントスケジューリングが有効とされる場合には、ＳＰＳ  Ｃ−ＲＮＴＩ、上りリンクにおけるセミパーシステントスケジューリングのインターバルの値を指示するためのパラメータ、リリースする前のエンプティ送信の数（Number of empty transmissions before release）を指示するためのパラメータ（第３のパラメータとも称する）、および／または、ＳＰＳデアクティベーションタイマー（SPS deactivation timer、第４のパラメータとも称する）が、少なくとも供給（設定）されてもよい。ここで、エンプティ送信（空の送信とも称する）については、後述する。また、第３のパラメータ、および、第４のパラメータについては、後述する。
【０１２３】
ここで、例えば、端末装置１は、あるサブフレームにおいて、セミパーシステントなＰＵＳＣＨでの送信を開始（start）し、そして、数（１）に基づいて、該セミパーシステントなＰＵＳＣＨでの送信を繰り返す（recur）するために、設定される上りリンクグラントを、イニシャライズ、または、再イニシャライズしてもよい。すなわち、端末装置１は、数（１）を満たすサブフレームにおいて、設定される上りリンクグラントが生じると、連続的にみなしてもよい。
【０１２４】
【数１】
2018003913.tif 000003
【０１２５】
すなわち、端末装置１は、ＳＰＳ上りリンクグラントを設定した後に、Ｓｕｂｆｒａｍｅ_Ｏｆｆｓｅｔ（サブフレームオフセット）の値をセットし、数（１）に基づいて特定されるサブフレームにおいて、Ｎ番目のグラント（設定される上りリンクグラント、ＳＰＳ上りリンクグラント）が発生する（occur）とみなしてもよい（順次考慮してもよい（consider sequentially））。端末装置１（ＭＡＣエンティティ）は、数（１）を満たすサブフレームに対するＳＰＳ上りリンクグラントをＨＡＲＱエンティティに渡してもよい。
【０１２６】
ここで、数（１）を満たすサブフレームを、所定の条件を満たすサブフレームとも称する。また、数（１）を満たすサブフレームのうち最初のサブフレームを除くサブフレームを、所定の条件を満たすサブフレームとも称する。ここで、数（１）を満たすサブフレームのうち最初のサブフレームは、セミパーシステントスケジューリングの活性化または再活性化またはリリースを指示するために用いられるＤＣＩの受信するサブフレームであってもよい。
【０１２７】
すなわち、端末装置１は、ストアしたＤＣＩフォーマットをＳＰＳ上りリンクグラントとして設定した後に、数（１）に基づいて、Ｎ番目の設定される上りリンクグラントに対応するＰＵＳＣＨでの送信を行うサブフレームを特定してもよい。ここで、数（１）において、ＳＦＮおよびｓｕｂｆｒａｍｅは、それぞれ、ＰＵＳＣＨでの送信が行われるＳＦＮおよびサブフレームを示している。
【０１２８】
また、数（１）において、ＳＦＮｓｔａｒｔ_ｔｉｍｅおよびｓｕｂｆｒａｍｅｓｔａｒｔ＿ｔｉｍｅは、それぞれ、設定される上りリンクグラントが、イニシャライズ、または、再イニシャライズされる時点でのＳＦＮおよびサブフレームを示している。すなわち、ＳＦＮｓｔａｒｔ_ｔｉｍｅおよびｓｕｂｆｒａｍｅｓｔａｒｔ＿ｔｉｍｅは、設定される上りリンクグラントに基づいて、ＰＵＳＣＨでの送信を開始するＳＦＮおよびサブフレーム（すなわち、０番目の設定される上りリンクグラントに対応するＰＵＳＣＨでの初期送信が行われるサブフレーム）を示している。
【０１２９】
また、数（１）において、ｓｅｍｉＰｅｒｓｉｓｔＳｃｈｅｄＩｎｔｅｒｖａｌＵＬは、上りリンクにおけるセミパーシステントスケジューリングのインターバルを示している。また、数（１）において、Ｓｕｂｆｒａｍｅ_Ｏｆｆｓｅｔ（サブフレームオフセット）は、ＰＵＳＣＨでの送信が行なわれるサブフレームを特定するために用いられるオフセットの値を示している。
【０１３０】
ここで、端末装置１は、ＳＰＳ上りリンクグラントを設定した後に、もし、上位層によって、パラメータ（twoIntervalConfig）が有効とされていない場合には、数（１）におけるＳｕｂｆｒａｍｅ_Ｏｆｆｓｅｔを‘０’にセットしてもよい。
【０１３１】
また、イニシャライズは、セミパーシステントスケジューリングがアクティブされていない場合に行なわれてもよい。また、再イニシャライズは、セミパーシステントスケジューリングが既にアクティブされている場合に行なわれてもよい。ここで、イニシャライズは初期設定の意味を、再イニシャライズは再初期設定の意味を含んでもよい。すなわち、端末装置１は、設定される上りリンクグラントを、イニシャライズ、または、再イニシャライズすることによって、あるサブフレームにおいてＰＵＳＣＨでの送信を開始してもよい。
【０１３２】
図７は、本実施形態におけるノンエンプティ送信（Non-empty transmission）およびエンプティ送信（Empty transmission）の例を説明するための図である。図７に示すように、ＭＡＣプロトコルデータユニット（MAC PDU: MAC Protocol Data Unit）は、ＭＡＣヘッダー（MAC header）、ＭＡＣサービスデータユニット（MAC SDU: MAC Service Data Unit）、ＭＡＣコントロールエレメント（MAC CE: MAC Control Element）、および、パディング（パディングビット）から構成されてもよい。ここで、ＭＡＣプロトコルデータユニットは、上りリンクデータ（ＵＬ−ＳＣＨ）に対応してもよい。
【０１３３】
ここで、ＭＡＣコントロールエレメントとして、少なくとも、バッファステータスレポートＭＡＣコントロールエレメント（BSR MAC CE: Buffer Status Report MAC CE、バッファステータスレポートに用いられるＭＡＣコントロールエレメント）、タイミングアドバンスコマンドＭＡＣコントロールエレメント（TAC MAC CE: Timing Advance Command MAC CE、タイミングアドバンスコマンドの送信に用いられるＭＡＣコントロールエレメント）、パワーヘッドルームレポートＭＡＣコントロールエレメント（PHR MAC CE: Power Headroom Report MAC CE、パワーヘッドルームレポートに用いられるＭＡＣコントロールエレメント）、および／または、活性化／非活性化ＭＡＣコントロールエレメント（Activation/Deactivation MAC CE、活性化／非活性化コマンドの送信に用いられるＭＡＣコントロールエレメント）、を含む、複数のＭＡＣコントロールエレメントが規定されてもよい。
【０１３４】
また、バッファステータスレポートとして、少なくとも、レギュラーＢＳＲ、周期的ＢＳＲ、および、パディングＢＳＲを含む、複数のバッファステータスレポートが規定されてもよい。例えば、レギュラーＢＳＲ、周期的ＢＳＲ、および、パディングＢＳＲのそれぞれは、異なるイベント（条件）に基づいてトリガされてもよい。
【０１３５】
例えば、レギュラーＢＳＲは、ある倫理チャネルグループ（LCG: Logical Channel Group）に属する論理チャネルのデータが送信可能になり、且つ、その送信優先順位がいずれかのＬＣＧに属する既に送信可能な論理チャネルより高い場合か、いずれかのＬＣＧに属する論理チャネルにおいて送信可能なデータがない場合にトリガされてもよい。また、レギュラーＢＳＲは、所定のタイマー（retxBSR-Timer）が満了し、且つ、端末装置１があるＬＣＧに属する論理チャネルにおいて送信可能なデータを持つ場合にトリガされてもよい。
【０１３６】
また、周期的ＢＳＲは、所定のタイマー（periodicBSR-Timer）が満了した場合にトリガされてもよい。また、パディングＢＳＲは、ＵＬ−ＳＣＨが割り当てられており、且つ、パディングビット数が、バッファステータスレポートＭＡＣコントロールエレメントとそのサブヘッダのサイズに等しいか、または、それより大きい場合にトリガされてもよい。
【０１３７】
端末装置１は、バッファステータスレポートを用いて、各ＬＣＧに対応した上りリンクデータの送信データバッファ量をＭＡＣ層におけるメッセージとして基地局装置３へ通知してもよい。
【０１３８】
図７に示すように、ＭＡＣプロトコルデータユニットは、ゼロ、１つ、または、複数のＭＡＣサービスデータユニットを含んでもよい。また、ＭＡＣプロトコルデータユニットは、ゼロ、１つ、または、複数のＭＡＣコントロールエレメントを含んでもよい。また、パディングは、ＭＡＣプロトコルデータユニットの最後に付加されてもよい（Padding may occur at the end of the MAC PDU）。
【０１３９】
ここで、ノンエンプティ送信は、少なくとも１つまたは複数のＭＡＣサービスデータユニットが含まれる、ＭＡＣプロトコルデータユニットの送信であってもよい（少なくとも１つまたは複数のＭＡＣサービスデータユニットが含まれる、ＭＡＣプロトコルデータユニットの送信に対応してもよい）。
【０１４０】
また、ノンエンプティ送信は、少なくとも１つまたは複数の第１のＭＡＣコントロールエレメントが含まれる、ＭＡＣプロトコルデータユニットの送信であってもよい（少なくとも１つまたは複数の第１のＭＡＣコントロールエレメントが含まれる、ＭＡＣプロトコルデータユニットの送信に対応してもよい）。ここで、第１のＭＡＣコントロールエレメント（第１の所定のＭＡＣコントロールエレメント）は、仕様書などによって事前に規定され、基地局装置３と端末装置１の間において既知の情報であってもよい。
【０１４１】
例えば、第１のＭＡＣコントロールエレメントには、上述した複数のＭＡＣコントロールエレメントのうちの１つ、または、全てが含まれてもよい。例えば、第１のＭＡＣコントロールエレメントは、パワーヘッドルームレポートＭＡＣコントロールエレメントであってもよい。また、例えば、第１のＭＡＣコントロールエレメントは、レギュラーＢＳＲが含まれるバッファステータスレポートＭＡＣコントロールエレメントであってもよい。また、第１のＭＡＣコントロールエレメントは、周期的ＢＳＲが含まれるバッファステータスレポートＭＡＣコントロールエレメントであってもよい。
【０１４２】
すなわち、ノンエンプティ送信は、１つまたは複数のＭＡＣサービスデータユニット、および／または、１つまたは複数の第１のＭＡＣコントロールエレメントが含まれる、ＭＡＣプロトコルデータユニットの送信であってもよい（少なくとも、１つまたは複数のＭＡＣサービスデータユニット、および／または、１つまたは複数の第１のＭＡＣコントロールエレメントが含まれる、ＭＡＣプロトコルデータユニットの送信に対応してもよい）。
【０１４３】
また、エンプティ送信は、パディングのみが含まれるＭＡＣプロトコルデータユニットの送信であってもよい（パディングのみが含まれるＭＡＣプロトコルデータユニットの送信に対応してもよい）。ここで、パディングのみが含まれるＭＡＣプロトコルデータユニットの送信に対して、ＭＡＣヘッダーは付加される。
【０１４４】
ここで、エンプティ送信は、１つまたは複数の第２のＭＡＣコントロールエレメントが含まれる、ＭＡＣプロトコルデータユニットの送信であってもよい（少なくとも１つまたは複数の第２のＭＡＣコントロールエレメントが含まれる、ＭＡＣプロトコルデータユニットの送信に対応してもよい）。ここで、第２のＭＡＣコントロールエレメント（第２の所定のＭＡＣコントロールエレメント）は、仕様書などによって事前に規定され、基地局装置３と端末装置１の間において既知の情報であってもよい。
【０１４５】
ここで、第２のＭＡＣコントロールエレメントは、第１のＭＡＣコントロールエレメント以外のＭＡＣコントロールエレメントであってもよい。例えば、第２のＭＡＣコントロールエレメントには、上述した複数のＭＡＣコントロールエレメントのうちの１つ、または、全てが含まれてもよい。例えば、第２のＭＡＣコントロールエレメントは、パディングＢＳＲが含まれるバッファステータスレポートＭＡＣコントロールエレメントであってもよい。
【０１４６】
すなわち、エンプティ送信は、パディング、および／または、１つまたは複数の第２のＭＡＣコントロールエレメントのみが含まれる、ＭＡＣプロトコルデータユニットの送信であってもよい（パディングのみ、および／または、１つまたは複数の第２のＭＡＣコントロールエレメントが含まれる、ＭＡＣプロトコルデータユニットの送信に対応してもよい）。
【０１４７】
ここで、ノンエンプティ送信、および／または、エンプティ送信は、初期送信に対応する送信であってもよい。すなわち、初期送信において、少なくとも、１つまたは複数のＭＡＣサービスデータユニット、および／または、１つまたは複数の第１のＭＡＣコントロールエレメントが含まれる、ＭＡＣプロトコルデータユニットを送信することを、ノンエンプティ送信と称してもよい。また、初期送信において、パディングのみ、および／または、１つまたは複数の第２のＭＡＣコントロールエレメントが含まれる、ＭＡＣプロトコルデータユニットを送信することを、エンプティ送信と称してもよい。
【０１４８】
また、ノンエンプティ送信、および／または、エンプティ送信は、基地局装置３によってスケジュールされたＰＵＳＣＨで実行されてもよい。例えば、ノンエンプティ送信、および／または、エンプティ送信は、Ｃ−ＲＮＴＩによってスクランブルされたＣＲＣパリティビットが付加されたＤＣＩ（ＤＣＩフォーマット）を用いてスケジュールされたＰＵＳＣＨ（すなわち、動的にスケジュールされたＰＵＳＣＨのリソース）で実行されてもよい。また、ノンエンプティ送信、および／または、エンプティ送信は、ＳＰＳ  Ｃ−ＲＮＴＩによってスクランブルされたＣＲＣパリティビットが付加されたＤＣＩ（ＤＣＩフォーマット）を用いてスケジュールされたＰＵＳＣＨ（すなわち、半永続的にスケジュールされたＰＵＳＣＨのリソース）で実行されてもよい。
【０１４９】
上述したとおり、端末装置１は、数（１）に基づいて特定されるサブフレームにおいてＰＵＳＣＨでの送信（ＵＬ−ＳＣＨでの送信）を半永続的（半持続的、周期的）に実行してもよい。ここで、端末装置１は、基地局装置３によって設定される第３のパラメータ（リリースする前のエンプティ送信の数（Number of empty transmissions before release）を指示するためのパラメータ）に基づいて、設定されるグラント（the configured grant）をクリア（clear）してもよい。
【０１５０】
例えば、端末装置１は、連続する、セミパーシステントなＰＵＳＣＨにおける、初期送信に対応するエンプティ送信の数が、第３のパラメータを用いて示された値（送信の数）に達した場合には、設定されるグラントをクリアしてもよい。
【０１５１】
すなわち、端末装置１は、それぞれにＭＡＣサービスデータユニットが含まれない（すなわち、ゼロのＭＡＣサービスデータユニットが含まれる）ＭＡＣプロトコルデータユニットであって、連続する、新しいＭＡＣプロトコルデータユニットの数に対応する第３のパラメータの後に、すぐに、設定されるグラントをクリアしてもよい（may clear the configured grant immediately after the third parameter number of consecutive new MAC PDUs each containing zero MAC SDUs）。ここで、該連続する、初期送信に対応するエンプティ送信の数は、セミパーシステントスケジューリングのリソースでのエンプティ送信の数を含む。ここで、該連続する、初期送信に対応するエンプティ送信の数は、動的にスケジュールされたＰＵＳＣＨのリソースでのエンプティ送信の数を含まない。
【０１５２】
ここで、端末装置１は、第３のパラメータに基づいて、基地局装置３によって割り当てられた上りリンクのリソース（セミパーシステントスケジューリングのリソース、ＰＵＳＣＨのリソース）をリリース（クリア）してもよい。すなわち、端末装置１は、設定されるグラントをクリアするのと同様に、第３のパラメータに基づいて、基地局装置３によって割り当てられた上りリンクのリソースをリリースしてもよい。ここで、端末装置１は、上述したセミパーシステントスケジューリングのリリースを指示するために用いられるＤＣＩフォーマットを受信した場合に、設定されるグラントをクリア、および／または、上りリンクのリソースをリリースしてもよい。
【０１５３】
以下、上述のように、端末装置１によって上りリンクデータの送信が実行され、第３のパラメータに基づいて、設定されるグラントがクリア、および／または、上りリンクのリソースがリリースされる動作を、第１の動作とも記載する。また、上述のように、端末装置１によって上りリンクデータの送信が実行され、セミパーシステントスケジューリングのリリースを指示するために用いられるＤＣＩフォーマットを受信した場合に、設定されるグラントがクリア、および／または、上りリンクのリソースがリリースされる動作を、第１の動作とも記載する。
【０１５４】
ここで、第１の動作において、端末装置１は、セミパーシステントスケジューリングのリリースを指示するために用いられるＤＣＩフォーマットを受信した場合に、すぐに、設定されるグラントをクリア、および／または、上りリンクのリソースをリリースする。すなわち、端末装置１は、セミパーシステントスケジューリングのリリースを指示するために用いられるＤＣＩフォーマットを受信した場合に、基地局装置３へ何れの情報も送信することなく、すぐに、設定されるグラントをクリア、および／または、上りリンクのリソースをリリースする。
【０１５５】
図８は、本実施形態における第１の動作における設定されるグラントのクリアの方法を説明するための図である。ここで、図８は、セミパーシステントスケジューリングのインターバルの値として“１（１サブフレーム）”が設定された場合の動作を記載している。
【０１５６】
図８に示すように、端末装置１は、セミパーシステントスケジューリングの活性化および／または再活性化を指示するために用いられるＤＣＩを受信してもよい。また、端末装置１は、セミパーシステントスケジューリングのリソースでのノンエンプティ送信を実行してもよい。すなわち、上述した、数（１）に従って、設定される上りリンクグラントに基づくノンエンプティ送信を実行してもよい。また、端末装置１は、セミパーシステントスケジューリングのリソースでのエンプティ送信を実行してもよい。すなわち、送信に対して利用可能なデータ（available data for transmission）を持たない場合において、端末装置１は、セミパーシステントスケジューリングのリソースでのエンプティ送信を実行してもよい。
【０１５７】
送信に対して利用可能なデータを持たない場合とは、（ｉ）パディングＢＳＲのみが送信に対して利用可能である場合、または、（ｉｉ）パディングＢＳＲ、および、パディングのみが送信に対して利用可能である場合であってもよい。送信に対して利用可能なデータを持つ場合とは、（ｉ）「パディングＢＳＲだけが送信に対して利用可能」ではない場合（the case that NOT “only padding BSR is available for transmission”）、（ｉｉ）「パディングＢＳＲ、および、パディングだけが送信に対して利用可能」ではない場合（the case that NOT “only padding BSR is available for transmission”）、（ｉｉｉ）「パディングＢＳＲだけが送信に対して利用可能な状態」ではない場合、または、（ｉｖ）「パディングＢＳＲ、および、パディングだけが送信に対して利用可能」な状態ではない場合であってもよい。ここで、パディングＢＳＲは、第２のＭＡＣコントロールエレメントであってもよい。
【０１５８】
図８の６００において、セミパーシステントスケジューリングのリソースでの連続するエンプティ送信の数が、第３のパラメータを用いて設定された値（送信の数）に達した場合には、端末装置１は、設定されるグラントをクリアしてもよい。また、セミパーシステントスケジューリングのリソースでの連続するエンプティ送信の数が、第３のパラメータを用いて設定された値（送信の数）に達した場合には、端末装置１は、上りリンクのリソース（セミパーシステントスケジューリングのリソース）をリリースしてもよい。すなわち、端末装置１は、第３のパラメータに基づいて、設定されるグラントをクリア、および／または、上りリンクのリソースをリリースしてもよい。
【０１５９】
図９は、本実施形態における上りリンクデータの送信方法を説明するための図である。図９を用いて説明される上りリンクデータの送信方法は、上述までに説明してきた基地局装置３および／または端末装置１に対して適用されてもよい。以下、図９を用いて説明される動作を、第２の動作とも称する。図９は、セミパーシステントスケジューリングのインターバルの値として“１（１サブフレーム）”が設定された場合の動作を記載している。また、図９に示される送信は、セミパーシステントスケジューリングのリソースでの送信を示している。
【０１６０】
図９に示すように、基地局装置３は、端末装置１へ第４のパラメータを送信してもよい。例えば、基地局装置３は、上位層の信号（例えば、ＲＲＣ層の信号）を用いて、第４のパラメータを送信してもよい。例えば、第４のパラメータは、第２の動作（第２の動作に含まれる一部の動作でもよい）を実行することを設定するために用いられるパラメータを含んでもよい。また、第４のパラメータは、上りリンクにおけるセミパーシステントスケジューリングのインターバルの値“１（１サブフレーム）”を設定するために用いられるパラメータを含んでもよい。
【０１６１】
また、第４のパラメータは、セミパーシステントスケジューリングのリソースでのエンプティ送信を実行するかどうか（実行すること、または、実行しないこと）を設定するために用いられるパラメータを含んでもよい。
【０１６２】
すなわち、端末装置１は、基地局装置３によって送信される第４のパラメータ（例えば、上位層におけるパラメータ、ＲＲＣ層におけるパラメータ）に基づいて、第１の動作と第２の動作を切り替えてもよい。例えば、端末装置１は、第４のパラメータが設定されていない場合には第１の動作を実行し、第４のパラメータが設定されている場合には第２の動作を実行してもよい。
【０１６３】
サブフレームｎにおいて、端末装置１は、セミパーシステントスケジューリングの活性化および／または再活性化を指示するために用いられるＤＣＩ（ＤＣＩフォーマット、上りリンクグラント）を受信する。ここで、端末装置１は、送信に対して利用可能なデータを持つ場合、セミパーシステントスケジューリングの活性化および／または再活性化を指示するために用いられるＤＣＩを受信したサブフレームに対応するサブフレーム（例えば、サブフレームｎの４サブフレーム後のサブフレーム、サブフレームｎ１）において、ノンエンプティ送信を実行してもよい。
【０１６４】
サブフレームｎ１において、送信に対して利用可能なデータを持つ端末装置１は、ノンエンプティ送信を実行してもよい。例えば、サブフレームｎ１において、送信に対して利用可能なデータを持つ端末装置１は、パディングＢＳＲおよび／またはパディングのみの送信を実行しない。
【０１６５】
また、サブフレームｎ２は、端末装置１が、送信に対して利用可能なデータを持たないサブフレームを示している。ここで、サブフレームｎ２において、送信に対して利用可能なデータを持たない端末装置１は、エンプティ送信を実行しない。
【０１６６】
すなわち、第４のパラメータが設定された端末装置１は、送信に対して利用可能なデータを持たない場合において、エンプティ送信を実行しない。上述のように、第４のパラメータが設定されていない端末装置１は、送信に対して利用可能なデータを持たない場合において、エンプティ送信を実行する。すなわち、端末装置１は、第４のパラメータに基づいて、送信に対して利用可能なデータを持たない場合において、エンプティ送信を実行するのか、エンプティ送信を実行しないのかを切り替えてもよい。
【０１６７】
ここで、サブフレームｎ２において、端末装置１は、Ｃ−ＲＮＴＩによってスクランブルされたＣＲＣパリティビットが付加されたＤＣＩ（ＤＣＩフォーマット、上りリンクグラント）に対応する送信を行う場合には、常に、ノンエンプティ送信またはエンプティ送信を実行してもよい。すなわち、端末装置１は、Ｃ−ＲＮＴＩによってスクランブルされたＣＲＣパリティビットが付加されたＤＣＩを用いてＰＵＳＣＨのリソースがスケジュールされた場合には、該スケジュールされたＰＵＳＣＨのリソースを用いて、常に、ノンエンプティ送信またはエンプティ送信を実行してもよい。
【０１６８】
すなわち、Ｃ−ＲＮＴＩによってスクランブルされたＣＲＣパリティビットが付加されたＤＣＩを用いてスケジュールされたリソース（動的にスケジュールされたリソース）は、ＳＰＳ  Ｃ−ＲＮＴＩによってスクランブルされたＣＲＣパリティビットが付加されたＤＣＩを用いてスケジュールされたリソース（半永続的にスケジュールされたリソース）を上書き（override）してもよい。
【０１６９】
ここで、該スケジュールされたＰＵＳＣＨのリソースは、セミパーシステントスケジューリングのリソースを含むサービングセルのリソースでもよい。また、該スケジュールされたＰＵＳＣＨのリソースは、セミパーシステントスケジューリングのリソースを含むサービングセル以外のサービングセルのリソースでもよい。すなわち、該スケジュールされたＰＵＳＣＨのリソースは、セミパーシステントスケジューリングのリソースを含むサービングセルのリソース、または、セミパーシステントスケジューリングのリソースを含むサービングセル以外のサービングセルのリソースでもよい。
【０１７０】
すなわち、第４のパラメータが設定され、送信に対して利用可能なデータを持ち、セミパーシステントスケジューリングに対応する上りリンクグラントが与えられた端末装置１は、ノンエンプティ送信を実行してもよい。
【０１７１】
また、第４のパラメータが設定され、送信に対して利用可能なデータを持たず、セミパーシステントスケジューリングに対応する上りリンクグラントが与えられた端末装置１は、エンプティ送信を実行しない。
【０１７２】
また、第４のパラメータが設定されているかどうかに関わらず、送信に対して利用可能なデータを持ち、動的なスケジューリングに対応する上りリンクグラントが与えられた端末装置１は、ノンエンプティ送信を実行してもよい。
【０１７３】
また、第４のパラメータが設定されているかどうかに関わらず、送信に対して利用可能なデータを持たず、動的なスケジューリングに対応する上りリンクグラントが与えられた端末装置１は、エンプティ送信を実行してもよい。
【０１７４】
また、サブフレームｎ３は、端末装置１が、送信に対して利用可能なデータを持つサブフレームを示している。サブフレームｎ３において、送信に対して利用可能なデータを持つ端末装置１は、ノンエンプティ送信を実行してもよい。
【０１７５】
サブフレームｎ６において、端末装置１は、セミパーシステントスケジューリングのリリースを指示するために用いられるＤＣＩ（ＤＣＩフォーマット、上りリンクグラント）を受信する。ここで、端末装置１は、送信に対して利用可能なデータを持つ場合、セミパーシステントスケジューリングのリリースを指示するために用いられるＤＣＩを受信したサブフレームに対応するサブフレーム（例えば、サブフレームｎ６の４サブフレーム後のサブフレーム、サブフレームｎ７）において、ノンエンプティ送信を実行してもよい。
【０１７６】
ここで、端末装置１は、セミパーシステントスケジューリングのリリースを指示するために用いられるＤＣＩを受信し、送信に対して利用可能なデータを持つには、セミパーシステントスケジューリングの活性化および／または非活性化を指示するために用いられる最新の（most recent）ＤＣＩによってスケジュールされたＰＵＳＣＨ（ＰＵＳＣＨのリソース）で、ノンエンプティ送信を実行してもよい。すなわち、端末装置１は、送信に対して利用可能なデータを持つ場合、ストアした、設定されるグラント（the configured grant）によってスケジュールされた、ＰＵＳＣＨ（ＰＵＳＣＨのリソース）で、ノンエンプティ送信を実行してもよい。
【０１７７】
上述したように、セミパーシステントスケジューリングのリリースを指示するために用いられるＤＣＩにおいて、リソースブロック割り当て（リソース割り当て）に関連するフィールドには、セミパーシステントスケジューリングのリリースのために予め規定された値がセットされてもよい。従って、端末装置１は、セミパーシステントスケジューリングのリリースを指示するために用いられるＤＣＩを受信した場合には、設定されるグラント（the configured grant）に基づいて、ノンエンプティ送信を実行してもよい。
【０１７８】
すなわち、端末装置１は、セミパーシステントスケジューリングのリリースを指示するために用いられるＤＣＩを受信した場合には、設定されるグラント（the configured grant）に基づいて、ノンエンプティ送信を実行してもよい。すなわち、端末装置１は、セミパーシステントスケジューリングのリリースを指示するために用いられるＤＣＩを受信した場合には、ＰＵＳＣＨ（ＰＵＳＣＨのリソース）をリリースする前に、該ＰＵＳＣＨ（ＰＵＳＣＨのリソース）を用いて、ノンエンプティ送信を実行してもよい。ここで、該ＰＵＳＣＨ（ＰＵＳＣＨのリソース）は、セミパーシステントスケジューリングの活性化および／または非活性化を指示するために用いられる最新の（most recent）ＤＣＩによってスケジュールされる。すなわち、該ＰＵＳＣＨ（ＰＵＳＣＨのリソース）は、設定されるグラント（the configured grant）によってスケジュールされる。ここで、最新の（most recent）ＤＣＩとは、最後に受信した（last received）ＤＣＩとも称される。
【０１７９】
すなわち、サブフレームｎ７において、送信に対して利用可能なデータを持つ端末装置１は、設定されるグラント（the configured grant）に基づくノンエンプティ送信を実行してもよい。すなわち、例えば、サブフレームｎ７において、送信に対して利用可能なデータを持つ端末装置１は、パディングＢＳＲおよび／またはパディングのみの送信を実行しない。
【０１８０】
また、端末装置１は、ノンエンプティ送信を実行したサブフレーム、または、該サブフレームより後のサブフレームにおいて、設定されるグラントをクリア、および／または、上りリンクのリソースをリリースしてもよい。すなわち、第４のパラメータが設定された端末装置１は、セミパーシステントスケジューリングのリリースを指示するために用いられるＤＣＩを受信した場合に、ノンエンプティ送信またはエンプティ送信を実行し、ノンエンプティ送信またはエンプティ送信を実行したサブフレーム、または、該サブフレームより後のサブフレームにおいて、設定されるグラントをクリア、および／または、上りリンクのリソースをリリースしてもよい。
【０１８１】
また、端末装置１は、セミパーシステントスケジューリングのリリースを指示するために用いられるＤＣＩを受信したサブフレーム、または、該サブフレームより後のサブフレームにおいて、設定されるグラントをクリア、および／または、上りリンクのリソースをリリースしてもよい。すなわち、第４のパラメータが設定された端末装置１は、セミパーシステントスケジューリングのリリースを指示するために用いられるＤＣＩを受信した場合に、設定されるグラントをＨＡＲＱエンティティに渡した後に、セミパーシステントスケジューリングのリリースを指示するために用いられるＤＣＩを受信したサブフレーム、または、該サブフレームより後のサブフレームにおいて、において、設定されるグラントをクリア、および／または、上りリンクのリソースをリリースしてもよい。
【０１８２】
上述したように、第４のパラメータが設定されていない端末装置１は、セミパーシステントスケジューリングのリリースを指示するために用いられるＤＣＩを受信した場合に、基地局装置３へ何れの情報も送信することなく、設定されるグラントをクリア、および／または、上りリンクのリソースをリリースする。すなわち、端末装置１は、第４のパラメータに基づいて、セミパーシステントスケジューリングのリリースを指示するために用いられるＤＣＩを受信した場合に、ノンエンプティ送信を実行し、その後に、設定されるグラントをクリア、および／または、上りリンクのリソースをリリースするのか、基地局装置３へ何れの情報も送信することなく、設定されるグラントをクリア、および／または、上りリンクのリソースをリリースするのか、を切り替えてもよい。
【０１８３】
上述したように、送信に対して利用可能なデータを持たない端末装置１は、エンプティ送信を実行しない。第２のＭＡＣコントロールエレメントのみが送信に対して利用可能な場合、端末装置１はエンプティ送信を実行しない。第２のＭＡＣコントロールエレメント、および／または、パディングのみが送信に対して利用可能な場合、端末装置１はエンプティ送信を実行しない。
【０１８４】
より詳細には、エンプティ送信を実行しないことは、端末装置１におけるＨＡＲＱエンティティにおける動作（処理）として規定されてもよい。すなわち、ノンエンプティ送信を実行すること、ノンエンプティ送信を実行しないこと、エンプティ送信を実行すること、および／または、エンプティ送信を実行しないことは、ＨＡＲＱエンティティにおける動作（処理）として規定されてもよい。
【０１８５】
例えば、ＨＡＲＱエンティティが、送信に対して利用可能なデータを持つかどうかに基づいて、第１のエンティティから、送信のためのＭＡＣプロトコルデータユニット（the MAC PDU to transmit）を取得するかどうかを決定することが規定されてもよい。ＨＡＲＱエンティティは、送信に対して利用可能なデータを持つ場合、第１のエンティティから、送信のためのＭＡＣプロトコルデータユニット（the MAC PDU to transmit）を取得してもよい。例えば、第４のパラメータが設定され、上りリンクグラントがＳＰＳ  Ｃ−ＲＮＴＩにアドレスされ、送信に対して利用可能なデータを持つ場合には、ＨＡＲＱエンティティが第１のエンティティからＭＡＣプロトコロデータユニットを取得することが規定されてもよい。ここで、当該ＭＡＣプロトコロデータユニットは、１つまたは複数の第１のＭＡＣコントロールエレメント、および／または、１つまたは複数のＭＡＣサービスデータユニットを含んでもよい。
【０１８６】
ＭＡＣプロトコルデータユニットが取得された場合、ＨＡＲＱエンティティは、当該ＭＡＣプロトコルデータユニット、および、設定されるグラントをＨＡＲＱプロセスに渡し、ＨＡＲＱプロセスに初期送信のトリガを指示する。ＨＡＲＱプロセスは、当該設定されるグラントをストアし、ストアされる上りリンクグラント（the stored uplink grant）に従った送信の生成を物理レイヤに指示してもよい。
【０１８７】
ＨＡＲＱエンティティは、送信に対して利用可能なデータを持たない場合、第１のエンティティから、送信のためのＭＡＣプロトコルデータユニット（the MAC PDU to transmit）を取得しなくてもよい。例えば、第４のパラメータが設定され、上りリンクグラントがＳＰＳ  Ｃ−ＲＮＴＩにアドレスされ、送信に対して利用可能なデータを持たない場合には、ＨＡＲＱエンティティが第１のエンティティからＭＡＣプロトコロデータユニットを取得しないことが規定されてもよい。ＭＡＣプロトコルデータユニットが取得されなかった場合、ＨＡＲＱエンティティは、ＭＡＣプロトコルデータユニット、および、設定されるグラントをＨＡＲＱプロセスに渡さず、ＨＡＲＱプロセスに初期送信のトリガを指示しない。
【０１８８】
第１のエンティティによって、送信のためのＭＡＣプロトコルデータユニットが供給されてもよい。第１のエンティティにおいて、新しい送信が実行される場合における、論理チャネルの優先付け手順（Logical Channel Prioritization procedure）が適用されてもよい。第１のエンティティにおいて、ＭＡＣコントロールエレメントおよびＭＡＣサービスデータユニットの多重が行なわれてもよい。
【０１８９】
例えば、第１のエンティティは、エンプティ送信が実行されない場合、該エンプティ送信に対応するＭＡＣプロトコルデータユニットを生成しなくてもよい。また、第１のエンティティは、エンプティ送信が実行されない場合、該エンプティ送信に対応するＭＡＣプロトコルデータユニットをＨＡＲＱエンティティに渡さなくてもよい。
【０１９０】
ＨＡＲＱエンティティは、エンプティ送信が実行されない場合、該エンプティ送信に対応するＭＡＣプロトコルデータユニットをＨＡＲＱプロセスに渡さなくてもよい。また、ＨＡＲＱプロセスは、エンプティ送信が実行されない場合、該エンプティ送信に対応するＭＡＣプロトコルデータユニットを物理層に渡さなくてもよい。
【０１９１】
また、第４のパラメータが設定され、送信に対して利用可能なデータを持ち、ＭＡＣエンティティがセミパーシステントスケジューリングに対応する上りリンクグラントを与えられた場合には、ＭＡＣエンティティが、１つまたは複数の第１のＭＡＣコントロールエレメントが含まれる、ＭＡＣプロトコルデータユニットを送信することが規定されてもよい。
【０１９２】
すなわち、第４のパラメータが設定され、送信に対して利用可能なデータを持ち、ＭＡＣエンティティがセミパーシステントスケジューリングに対応する上りリンクグラントを与えられた場合には、ＭＡＣエンティティが、１つまたは複数のＭＡＣサービスデータユニット、および／または、１つまたは複数の第１のＭＡＣコントロールエレメントが含まれる、ＭＡＣプロトコルデータユニットを送信することが規定されてもよい。
【０１９３】
また、第４のパラメータが設定され、送信に対して利用可能なデータを持ち、ＭＡＣエンティティがセミパーシステントスケジューリングに対応する上りリンクグラントを与えられた場合には、ＭＡＣエンティティが、パディングのみが含まれる、ＭＡＣプロトコルデータユニットを送信しないことが規定されてもよい。
【０１９４】
また、第４のパラメータが設定され、送信に対して利用可能なデータを持ち、ＭＡＣエンティティがセミパーシステントスケジューリングに対応する上りリンクグラントを与えられた場合には、ＭＡＣエンティティが、１つまたは複数の第２のＭＡＣコントロールエレメントが含まれる、ＭＡＣプロトコルデータユニットを送信しないことが規定されてもよい。
【０１９５】
すなわち、第４のパラメータが設定され、送信に対して利用可能なデータを持ち、ＭＡＣエンティティがセミパーシステントスケジューリングに対応する上りリンクグラントを与えられた場合には、ＭＡＣエンティティが、パディングのみ、および／または、１つまたは複数の第２のＭＡＣコントロールエレメントが含まれる、ＭＡＣプロトコルデータユニットを送信しないことが規定されてもよい。
【０１９６】
例えば、第４のパラメータが設定され、送信に対して利用可能なデータを持ち、ＭＡＣエンティティがセミパーシステントスケジューリングに対応する上りリンクグラントを与えられた場合には、ＭＡＣエンティティが、１つまたは複数のＭＡＣサービスデータユニットが含まれる、ＭＡＣプロトコルデータユニットを送信することが規定されてもよい。
【０１９７】
また、第４のパラメータが設定され、送信に対して利用可能なデータを持ち、ＭＡＣエンティティがセミパーシステントスケジューリングに対応する上りリンクグラントを与えられた場合には、ＭＡＣエンティティが、１つまたは複数の第１のＭＡＣコントロールエレメントが含まれる、ＭＡＣプロトコルデータユニットを送信することが規定されてもよい。
【０１９８】
すなわち、第４のパラメータが設定され、送信に対して利用可能なデータを持ち、ＭＡＣエンティティがセミパーシステントスケジューリングに対応する上りリンクグラントを与えられた場合には、ＭＡＣエンティティが、１つまたは複数のＭＡＣサービスデータユニット、および／または、１つまたは複数の第１のＭＡＣコントロールエレメントが含まれる、ＭＡＣプロトコルデータユニットを送信することが規定されてもよい。
【０１９９】
また、第４のパラメータが設定され、送信に対して利用可能なデータを持ち、ＭＡＣエンティティがセミパーシステントスケジューリングに対応する上りリンクグラントを与えられた場合には、ＭＡＣエンティティが、パディングのみが含まれる、ＭＡＣプロトコルデータユニットを送信しないことが規定されてもよい。
【０２００】
また、第４のパラメータが設定され、送信に対して利用可能なデータを持ち、ＭＡＣエンティティがセミパーシステントスケジューリングに対応する上りリンクグラントを与えられた場合には、ＭＡＣエンティティが、１つまたは複数の第２のＭＡＣコントロールエレメントが含まれる、ＭＡＣプロトコルデータユニットを送信しないことが規定されてもよい。
【０２０１】
すなわち、第４のパラメータが設定され、送信に対して利用可能なデータを持ち、ＭＡＣエンティティがセミパーシステントスケジューリングに対応する上りリンクグラントを与えられた場合には、ＭＡＣエンティティが、パディングのみ、および／または、１つまたは複数の第２のＭＡＣコントロールエレメントが含まれる、ＭＡＣプロトコルデータユニットを送信しないことが規定されてもよい。
【０２０２】
以下、ＤＣＩフォーマット（上りリンクグラント）に含まれるＮＤＩについて説明する。
【０２０３】
基地局装置３は、送信する上りリンクグラントに含まれるＮＤＩを用いて、端末装置１に初期送信、または、アダプティブ再送信を指示してもよい。
【０２０４】
ＨＡＲＱエンティティ、および、ＨＡＲＱプロセスは、Ｃ−ＲＮＴＩにアドレスされた上りリンクグラントに含まれるＮＤＩの値をストアする。
【０２０５】
ＨＡＲＱエンティティは、受信された上りリンクグラントがＣ−ＲＮＴＩにアドレスされ、当該受信された上りリンクグラントに含まれるＮＤＩが、当該受信された上りリンクグラントが対応するＨＡＲＱプロセスの前の送信におけるＮＤＩの値と比較してトグルされている場合、第１のエンティティからＭＡＣプロトコロデータユニットを取得し、当該ＭＡＣプロトコルデータユニット、および、当該受信された上りリンクグラントをＨＡＲＱプロセスに渡し、ＨＡＲＱプロセスに初期送信のトリガを指示する。
【０２０６】
ＨＡＲＱエンティティは、受信された上りリンクグラントがＣ−ＲＮＴＩにアドレスされ、当該受信された上りリンクグラントに含まれるＮＤＩが、当該受信された上りリンクグラントが対応するＨＡＲＱプロセスの前の送信におけるＮＤＩの値と比較してトグルされていない場合、当該受信された上りリンクグラントをＨＡＲＱプロセスに渡し、ＨＡＲＱプロセスにアダプティブ再送信の生成を指示する。
【０２０７】
ＭＡＣエンティティ、および、ＨＡＲＱエンティティは、セミパーシステントスケジューリングの活性化および／または再活性化を指示するために用いられるＤＣＩ（上りリンクグラント）がＰＤＣＣＨを用いて受信された場合、ＨＡＲＱプロセスに対するＮＤＩがトグルされたとみなしてもよい。すなわち、ＭＡＣエンティティは、セミパーシステントスケジューリングの活性化および／または再活性化を指示するために用いられるＤＣＩ（上りリンクグラント）がＰＤＣＣＨを用いて受信された場合、ＨＡＲＱプロセスに対するＮＤＩがトグルされたとみなし、ＨＡＲＱエンティティに設定されるグラントを渡してもよい。
【０２０８】
数（１）に基づいて特定されるサブフレームにおいて、Ｎ番目のグラント（設定される上りリンクグラント、ＳＰＳ上りリンクグラント）が発生するとみなされる場合、ＨＡＲＱプロセスに対するＮＤＩがトグルされたとみなし、ＨＡＲＱエンティティに設定されるグラントを渡してもよい。
【０２０９】
図１０は、本実施形態におけるＮＤＩを説明するための第１の例を示す図である。図１１は、本実施形態におけるＮＤＩを説明するための第２の例を示す図である。図１２は、本実施形態におけるＮＤＩを説明するための第３の例を示す図である。
【０２１０】
図１０から図１２のサブフレームｎにおいて、端末装置１はＨＡＲＱプロセスＡに対する上りリンクグラント８００を受信する。上りリンクグラント８００はＣ−ＲＮＴＩにアドレスされる。上りリンクグラント８００に含まれるＮＤＩフィールドの値は０である。ＭＡＣエンティティは、上りリンクグラント８００をＨＡＲＱエンティティに渡す。ＨＡＲＱエンティティは、上りリンクグラント８００に含まれるＮＤＩフィールドの値（０）をストアする。ＨＡＲＱエンティティは、第１のエンティティからＭＡＣプロトコロデータユニットを取得し、ＭＡＣプロトコルデータユニット、および、上りリンクグラント８００をＨＡＲＱプロセスＡに渡し、ＨＡＲＱプロセスＡに初期送信のトリガを指示する。ＨＡＲＱプロセスＡは、（ｉ）ＭＡＣプロトコルデータユニット、および、上りリンクグラント８００をストアし、（ｉｉ）ストアされる上りリンクグラント８００に応じてＭＡＣプロトコルデータユニットの送信８０１を生成するよう物理層に指示する。図１０から図１２のサブフレームｎ１において、物理層は、ストアされる上りリンクグラント８００に応じてＭＡＣプロトコルデータユニットの初期送信８０１を実行する。ＨＡＲＱプロセスＡを第１のＨＡＲＱプロセスとも称する。
【０２１１】
図１０のサブフレームｎ２において、端末装置１は、ＨＡＲＱプロセスＡ（ＭＡＣプロトコルデータユニット）に対するＡＣＫを受信する。ＨＡＲＱエンティティは、ＨＡＲＱプロセスＡにＡＣＫを渡す。ＨＡＲＱプロセスＡは、状態変数にＡＣＫをセットする。ここで、ＨＡＲＱプロセスＡは、ストアされるＭＡＣプロトコルデータユニットを保持する。ここで、ＨＡＲＱプロセスＡは、ストアされる上りリンクグラント８００に応じてＭＡＣプロトコルデータユニットの送信を生成するよう物理層に指示しない。すなわち、図１０のサブフレームｎ３においてＭＡＣプロトコルデータユニットは送信されない。
【０２１２】
図１０のサブフレームｎ４において、端末装置１は、ＨＡＲＱプロセスＡに対する上りリンクグラント８０３を受信する。上りリンクグラント８０３はＣ−ＲＮＴＩにアドレスされる。上りリンクグラント８０３に含まれるＮＤＩフィールドの値は０である。ＭＡＣエンティティは、上りリンクグラント８０３をＨＡＲＱエンティティに渡す。ＨＡＲＱエンティティは、上りリンクグラント８０３に含まれるＮＤＩの値（０）が、ストアされているＮＤＩの値（０）と比較するとトグルされていないことに基づいて、上りリンクグラント８０３をＨＡＲＱプロセスＡに渡し、ＨＡＲＱプロセスＡにアダプティブ再送信の生成を指示する。ＨＡＲＱプロセスＡは、（ｉ）上りリンクグラント８０３をストアし、（ｉｉ）ストアされる上りリンクグラント８０３に応じてＭＡＣプロトコルデータユニットの再送信８０４を生成するよう物理層に指示する。図１０のサブフレームｎ５において、物理層は、ストアされる上りリンクグラント８０３に応じてＭＡＣプロトコルデータユニットのアダプティブ再送信８０４を実行する。
【０２１３】
このように、基地局装置３は、図１０のサブフレームｎ３においてＡＣＫのみを送信することによって、ＭＡＣプロトコロデータユニットの再送信をペンディングすることができる。また、基地局装置３は、サブフレームｎ４において、上りリンクグラント８００に含まれるＮＤＩの値と同じ値のＮＤＩを含む上りリンクグラント８０３を送信することによって、端末装置１を当該ＭＡＣプロトコロデータユニットの再送信にリジューム（resume）させることができる。
【０２１４】
図１１のサブフレームｎ２において、端末装置１は、ＨＡＲＱプロセスＡに対するＡＣＫ、および、ＨＡＲＱプロセスＡに対する上りリンクグラント８０２Ａを受信する。上りリンクグラント８０２ＡはＳＰＳ  Ｃ−ＲＮＴＩにアドレスされる。上りリンクグラント８０２Ａに含まれるＮＤＩフィールドの値は０である。上りリンクグラント８０２Ａは、セミパーシステントスケジュールの活性化に用いられる。ＭＡＣエンティティは、上りリンクグラント８０２Ａをストアし、ＨＡＲＱプロセスＡに対するＮＤＩがトグルされているとみなし、ストアされる上りリンクグラント８０２ＡをＨＡＲＱエンティティに渡す。ＨＡＲＱプロセスＡは、状態変数にＡＣＫをセットする。
【０２１５】
第４のパラメータが設定され、上りリンクグラント８０２ＡがＳＰＳ  Ｃ−ＲＮＴＩにアドレスされ、送信に対して利用可能なデータを持つ場合、ＨＡＲＱエンティティは、第１のエンティティからＭＡＣプロトコロデータユニットを取得し、ＭＡＣプロトコルデータユニット、および、上りリンクグラント８０２ＡをＨＡＲＱプロセスＡに渡し、ＨＡＲＱプロセスＡに初期送信のトリガを指示する。ＨＡＲＱプロセスＡは、（ｉ）ＭＡＣプロトコルデータユニット、および、上りリンクグラント８０２Ａをストアし、（ｉｉ）ストアされる上りリンクグラント８０２Ａに応じてＭＡＣプロトコルデータユニットの送信８０１を生成するよう物理層に指示する。図１１のサブフレームｎ３において、物理層は、ストアされる上りリンクグラント８０２Ａに応じてＭＡＣプロトコルデータユニットの初期送信８０２Ｂを実行する。
【０２１６】
図１１のサブフレームｎ４において、端末装置１は、ＨＡＲＱプロセスＡに対する上りリンクグラント８０３を受信する。上りリンクグラント８０３はＣ−ＲＮＴＩにアドレスされる。上りリンクグラント８０３に含まれるＮＤＩフィールドの値は０である。ＭＡＣエンティティは、上りリンクグラント８０３をＨＡＲＱエンティティに渡す。ＭＡＣエンティティは、（ｉ）上りリンクグラント８０３がＣ−ＲＮＴＩに対応しており、（ｉｉ）ＨＡＲＱプロセスＡに渡された直前の上りリンクグラント８０２Ａが、ＳＰＳ  Ｃ−ＲＮＴＩに対して受信される上りリンクグラントであることに基づいて、上りリンクグラント８０３に含まれるＮＤＩの値に関わらずＨＡＲＱプロセスＡに対するＮＤＩがトグルされたとみなす。ＨＡＲＱエンティティは、上りリンクグラント８０３に含まれるＮＤＩの値に関わらずＨＡＲＱプロセスＡに対するＮＤＩがトグルされたとみなすことに基づいて、第１のエンティティからＭＡＣプロトコロデータユニットを取得し、ＭＡＣプロトコルデータユニット、および、上りリンクグラント８０３をＨＡＲＱプロセスＡに渡し、ＨＡＲＱプロセスＡに初期送信のトリガを指示する。ＨＡＲＱプロセスＡは、（ｉ）ＭＡＣプロトコルデータユニット、および、上りリンクグラント８０３をストアし、（ｉｉ）ストアされる上りリンクグラント８０３に応じてＭＡＣプロトコルデータユニットの送信８０４を生成するよう物理層に指示する。図１１のサブフレームｎ５において、物理層は、ストアされる上りリンクグラント８０３に応じてＭＡＣプロトコルデータユニットの初期送信８０４を実行する。
【０２１７】
図１２のサブフレームｎ２において、端末装置１は、ＨＡＲＱプロセスＡに対するＡＣＫ、および、ＨＡＲＱプロセスＡに対する上りリンクグラント８０２Ａを受信する。上りリンクグラント８０２ＡはＳＰＳ  Ｃ−ＲＮＴＩにアドレスされる。上りリンクグラント８０２Ａに含まれるＮＤＩフィールドの値は０である。上りリンクグラント８０２Ａは、セミパーシステントスケジュールの活性化に用いられる。ＭＡＣエンティティは、上りリンクグラント８０２Ａをストアし、ＨＡＲＱプロセスＡに対するＮＤＩがトグルされているとみなし、ストアされる上りリンクグラント８０２ＡをＨＡＲＱエンティティに渡す。ＨＡＲＱプロセスＡは、状態変数にＡＣＫをセットする。
【０２１８】
第４のパラメータが設定され、上りリンクグラント８０２ＡがＳＰＳ  Ｃ−ＲＮＴＩにアドレスされ、送信に対して利用可能なデータを持たない場合、ＨＡＲＱエンティティは、第１のエンティティからＭＡＣプロトコロデータユニットを取得せず、ＭＡＣプロトコルデータユニット、および、上りリンクグラント８０２ＡをＨＡＲＱプロセスＡに渡さず、ＨＡＲＱプロセスＡに初期送信のトリガを指示しない。ＨＡＲＱプロセスＡは、（ｉ）ＭＡＣプロトコルデータユニットを保持し、（ｉｉ）ストアされる上りリンクグラント８００に応じたＭＡＣプロトコルデータユニットの送信８０２Ｂを生成するよう物理層に指示しない。図１２のサブフレームｎ３において、物理層は、ストアされる上りリンクグラント８００に応じたＭＡＣプロトコルデータユニットの送信８０２Ｂを実行しない。
【０２１９】
図１２のサブフレームｎ４において、端末装置１は、ＨＡＲＱプロセスＡに対する上りリンクグラント８０３を受信する。上りリンクグラント８０３はＣ−ＲＮＴＩにアドレスされる。上りリンクグラント８０３に含まれるＮＤＩフィールドの値は０である。ＭＡＣエンティティは、上りリンクグラント８０３をＨＡＲＱエンティティに渡す。
【０２２０】
図１２のサブフレームｎ４において、ＨＡＲＱプロセスＡに渡された直前の上りリンクグラントは、上りリンクグラント８００である。ＭＡＣエンティティは、（ｉ）上りリンクグラント８０３がＣ−ＲＮＴＩに対応しており、（ｉｉ）ＨＡＲＱプロセスＡに渡された直前の上りリンクグラント８００が、ＳＰＳ  Ｃ−ＲＮＴＩに対して受信される上りリンクグラントではないことに基づいて、上りリンクグラント８０３に含まれるＮＤＩの値に関わらずＨＡＲＱプロセスＡに対するＮＤＩがトグルされたとみなさない。ＨＡＲＱエンティティは、上りリンクグラント８０３に含まれるＮＤＩが、上りリンクグラント８０３に含まれるＮＤＩの値（０）が、ストアされているＮＤＩの値（０）と比較するとトグルされていないことに基づいて、上りリンクグラント８０３をＨＡＲＱプロセスＡに渡し、ＨＡＲＱプロセスＡにアダプティブ再送信の生成を指示する。ＨＡＲＱプロセスＡは、（ｉ）上りリンクグラント８０３をストアし、（ｉｉ）ストアされる上りリンクグラント８０３に応じてＭＡＣプロトコルデータユニットの再送信８０４を生成するよう物理層に指示する。図１２のサブフレームｎ５において、物理層は、ストアされる上りリンクグラント８０３に応じてＭＡＣプロトコルデータユニットのアダプティブ再送信８０４を実行する。
【０２２１】
ＭＡＣエンティティ、および、ＨＡＲＱエンティティは、ＨＡＲＱエンティティからＨＡＲＱプロセスＡに渡された直前の上りリンクグラントが、ＳＰＳ  Ｃ−ＲＮＴＩに対して受信される上りリンクグラントではない場合、上りリンクグラント８０３に含まれるＮＤＩの値に関わらず、ＨＡＲＱプロセスＡに対するＮＤＩがトグルされたとみなさなくてもよい。
【０２２２】
ＭＡＣエンティティ、および、ＨＡＲＱエンティティは、ＨＡＲＱエンティティからＨＡＲＱプロセスＡに渡された直前の上りリンクグラントが、ＳＰＳ  Ｃ−ＲＮＴＩに対して受信される上りリンクグラントである場合、上りリンクグラント８０３に含まれるＮＤＩの値に関わらず、ＨＡＲＱプロセスＡに対するＮＤＩがトグルされたとみなしてもよい。
【０２２３】
第４のパラメータが設定されない場合、ＨＡＲＱエンティティは、送信に対して利用可能なデータを持つかどうかに関わらず、上りリンクグラント８０２ＡをＨＡＲＱプロセスＡに渡してもよい。第４のパラメータが設定され、上りリンクグラント８０２ＡがＣ−ＲＮＴＩにアドレスされる場合、ＨＡＲＱエンティティは、送信に対して利用可能なデータを持つかどうかに関わらず、上りリンクグラント８０２ＡをＨＡＲＱプロセスＡに渡してもよい。
【０２２４】
第４のパラメータが設定され、上りリンクグラント８０２ＡがＳＰＳ  Ｃ−ＲＮＴＩにアドレスされる場合、ＨＡＲＱエンティティは、送信に対して利用可能なデータを持つかどうかに基づいて、ＨＡＲＱエンティティからＨＡＲＱプロセスＡに上りリンクグラント８０２Ａが渡されるかどうかを決定してもよい。
【０２２５】
第４のパラメータが設定され、上りリンクグラント８０２ＡがＳＰＳ  Ｃ−ＲＮＴＩにアドレスされ、送信に対して利用可能なデータを持つ場合、ＨＡＲＱエンティティは、上りリンクグラント８０２ＡをＨＡＲＱプロセスＡに渡してもよい。
【０２２６】
第４のパラメータが設定され、上りリンクグラント８０２ＡがＳＰＳ  Ｃ−ＲＮＴＩにアドレスされ、送信に対して利用可能なデータを持たない場合、ＨＡＲＱエンティティは、上りリンクグラント８０２ＡをＨＡＲＱプロセスＡに渡さなくてもよい。
【０２２７】
ＭＡＣエンティティは、第４のパラメータが設定されているかどうか、上りリンクグラント８０２ＡがＳＰＳ  Ｃ−ＲＮＴＩにアドレスされているかどうか、および、送信に対して利用可能なデータを持つかどうかに関わらず、ＨＡＲＱプロセスＡに対する上りリンクグラント８０２ＡをＨＡＲＱエンティティに渡す。
【０２２８】
また、ＭＡＣエンティティ、および、ＨＡＲＱエンティティは、ＭＡＣエンティティからＨＡＲＱエンティティに渡されたＨＡＲＱプロセスＡに対する直前の上りリンクグラントが、ＳＰＳ  Ｃ−ＲＮＴＩに対して受信される上りリンクグラントである場合、ＨＡＲＱエンティティからＨＡＲＱプロセスＡに当該直前の上りリンクグラントが渡されたかどうか、および、上りリンクグラント８０３に含まれるＮＤＩの値に関わらず、ＨＡＲＱプロセスＡに対するＮＤＩがトグルされたとみなしてもよい。
【０２２９】
また、図１２において、ＭＡＣエンティティ、および、ＨＡＲＱエンティティは、ＭＡＣエンティティからＨＡＲＱエンティティに渡されたＨＡＲＱプロセスＡに対する直前の上りリンクグラントが、ＳＰＳ  Ｃ−ＲＮＴＩに対して受信される上りリンクグラントであり、ＨＡＲＱエンティティからＨＡＲＱプロセスＡに当該直前の上りリンクグラントが渡されていない場合、ＨＡＲＱプロセスＡに対応するＭＡＣプロトコルデータユニットがストアされており、Ｃ−ＲＮＴＩにアドレスされる上りリンクグラント８０３に含まれるＮＤＩの値が、ＨＡＲＱプロセスＡの前の送信におけるＮＤＩの値と比較するとトグルされていなかったとしても、第１のエンティティからＭＡＣプロトコロデータユニットを取得し、当該ＭＡＣプロトコルデータユニット、および、当該上りリンクグラント８０３をＨＡＲＱプロセスＡに渡し、ＨＡＲＱプロセスＡに初期送信のトリガを指示してもよい。
【０２３０】
本実施形態において、図１１、および、図１２の「上りリンクグラント８０２Ａ」は、「設定されるグラント」、または、「上りリンクグラント８０２Ａ、または、設定されるグラント」に置き換えられてもよい。
【０２３１】
図１３は、本実施形態における上りリンクデータの送信方法を説明するための図である。図１３を用いて説明される上りリンクデータの送信方法は、上述までに説明してきた基地局装置３および／または端末装置１に対して適用されてもよい。
【０２３２】
図１３は、第２の動作を実行する端末装置１に対して、サブフレームバンドリングオペレーションが設定された場合における動作を示している。ここで、基地局装置３は、上位層におけるパラメータ（ttiBundlingとも称する）を用いて、サブフレームバンドリングオペレーションを設定してもよい。例えば、上位層におけるパラメータを用いて、サブフレームバンドリングの使用が設定された場合、サブフレームバンドリングオペレーションは、ＰＵＳＣＨ（ＵＬ−ＳＣＨ）に対して適用されてもよい。例えば、上位層におけるパラメータを用いて、サブフレームバンドリングの使用が設定された場合、サブフレームバンドリングオペレーションは、ＰＤＳＣＨ（ＤＬ−ＳＣＨ）に対して適用されてもよい。例えば、上位層におけるパラメータを用いて、サブフレームバンドリングの使用が設定された場合、サブフレームバンドリングオペレーションは、ＰＤＳＣＨ（ＤＬ−ＳＣＨ）、および、ＰＵＳＣＨ（ＵＬ−ＳＣＨ）の両方に対して適用されてもよい。
【０２３３】
以下、ＰＵＳＣＨに対するサブフレームバンドリングオペレーションについて詳述するが、本実施形態はＰＤＳＣＨに対して適用されてもよい。
【０２３４】
サブフレームバンドリングの使用が設定された場合、ＵＬ−ＳＣＨでの送信（上りリンクデータの送信）に対して、４つの連続する上りリンクサブフレーム（four consecutiveuplink subframes）が用いられてもよい。ここで、４つの連続する上りリンクサブフレームを、バンドルと称してもよい。尚、１つのバンドルに含まれる、連続する上りリンクサブフレームの数は、基地局装置３から受信した情報に基づいて与えられてもよい。
【０２３５】
４つの連続する上りリンクサブフレームのそれぞれにおける送信は、同じＨＡＲＱプロセス、および、同じトランスポートブロック（ＭＡＣプロトコルデータユニット）に対応している。図１３に示すように、例えば、サブフレームバンドリングオペレーションが設定された端末装置１は、サブフレームｎ１１において、ＰＵＳＣＨの初期送信を実行してもよい。また、サブフレームｎ１２、サブフレームｎ１３、および、サブフレームｎ１４において、ＰＵＳＣＨのノンアダプティブ再送信を実行してもよい。１つのバンドル内において、サブフレームｎ１２、サブフレームｎ１３、および、サブフレームｎ１４におけるＰＵＳＣＨのノンアダプティブ再送信は、前の送信に対するフィードバック（上りリンクグラント、および、ＨＡＲＱフィードバック）を待たずにトリガされる。ここで、サブフレームｎ１１、サブフレームｎ１２、サブフレームｎ１３、および、サブフレームｎ１４は、４つの連続する上りリンクサブフレームを示している。
【０２３６】
以下、本実施形態におけるリダンダンシーバージョンrvidx∈｛０、１、２、３｝について説明する。
【０２３７】
ＰＵＳＣＨに対するリダンダンシーバージョンは、上りリンクグラントに含まれるＭＣＳおよび／またはリダンダンシーバージョンに関する情報（Modulation and coding scheme and/or redundancy version）に基づいて与えられる。ＰＤＳＣＨに対するリダンダンシーバージョンは、下りリンクアサインメントに含まれるリダンダンシーバージョンに関する情報（Modulation and coding scheme and/or redundancy version）に基づいて与えられる。
【０２３８】
リダンダンシーバージョンは、トランスポートブロック（コードワード）の符号化に対して用いられる。トランスポートブロックはコードワードにマップされる。コードワードは符号化の単位である。
【０２３９】
以下、トランスポートブロック（コードワード）の符号化について説明をする。
【０２４０】
図１４は、本実施形態におけるコードワード（トランスポートブロック）の符号化の処理の一例を示す図である。図１４の処理は、トランスポートブロックのそれぞれに対して適用されてもよい。図１４の処理は、１つのバンドル内における送信のそれぞれに対して適用されてもよい。１つのトランスポートブロックは、１つのコードワードにマップされる。すなわち、トランスポートブロックを符号化することは、コードワードを符号化することと同一である。
【０２４１】
（ステップ１４１０）１つのコードワードに、対応するＣＲＣパリティビットを付加した後、コードワードを１つまたは複数のコードブロックに分割する。コードブロックのそれぞれには、対応するＣＲＣパリティビットが付加されてもよい。（ステップ１４１１）１つまたは複数のコードブロックのそれぞれは、符号化（例えば、ターボ符号化、畳み込み符号化、または、ＬＤＰＣ（Low Density Parity Check）符号化）される。
【０２４２】
（ステップ１４１２）コードブロックの符号化ビットの系列のそれぞれに対して、レートマッチングが適用される。当該レートマッチングは、リダンダンリーバージョンrvidxに応じて、実行される。
【０２４３】
（ステップ１４１３）レートマッチングが適用された１つまたは複数のコードブロックを連結することによって、コードワードの符号化ビットの系列が得られる。
【０２４４】
図１５は、本実施形態におけるレートマッチングの一例を示す図である。当該レートマッチングは、図１４のステップ１４１２において実行される。すなわち、レートマッチングは、トランスポートブロックのコードブロックに対して適用される。
【０２４５】
１つのレートマッチング（ステップ１４１２）は、３つのインタリーブ（ステップ１４１２ａ）、１つのビット収集（collection）（ステップ１４１２ｂ）、１つのビット選択および除去（selection and pruning）（ステップ１４１２ｃ）を含む。１つのレートマッチング（ステップ１４１２）には、チャネル符号化（ステップ１４１１）から、３つの情報ビットストリーム（d’k、d’’k、d’’’k）が入力される。ステップ１４１２ａにおいて、３つの情報ビットストリーム（d’k、d’’k、d’’’k）のそれぞれは、サブブロックインタリーバーに応じてインタリーブされる。３つの情報ビットストリーム（d’k、d’’k、d’’’k）のそれぞれをインタリーブすることによって、３つの出力系列（v’k、v’’k、v’’’k）が得られる。
【０２４６】
該サブブロックインタリーバーの列の数Csubblockは３２である。該サブフロックインタリーバーの行の数Rsubblockは、以下の不等式（２）を満たす最も小さい整数である。ここで、Dは情報ビットストリーム（d’k、d’’k、d’’’k）のそれぞれのビットの数である。
【０２４７】
【数２】
2018003913.tif 000004
【０２４８】
該サブブロックインタリーバーの出力系列（v’k、v’’k、v’’’k）のそれぞれのビットの数KΠは、以下の数式（３）によって与えられる。
【０２４９】
【数３】
2018003913.tif 000005
【０２５０】
ステップ１４１２ｂにおいて、３つの出力系列（v’k、v’’k、v’’’k）から、wk（virtual circular buffer）が得られる。wkは、以下の数式（４）によって与えられる。wkのビットの数Kwは、KΠの３倍である。
【０２５１】
【数４】
2018003913.tif 000006
【０２５２】
ステップ１４１２ｃ（ビット選択および除去）において、wkからレートマッチング出力ビット系列ekが得られる。レートマッチング出力ビット系列ekのビットの数はEである。図１６は、本実施形態のビット選択および除去の一例を示す図である。図１６のrvidxは、対応するトランスポートブロックの送信に対するＲＶ（redundancy version）番号である。図１６のNcbは、対応するコードブロックのためのソフトバッファサイズであり、ビットの数によって表現される。Ncbは以下の数式（５）によって与えられる。
【０２５３】
【数５】
2018003913.tif 000007
【０２５４】
ここで、Cは、図１４のコードブロックセグメンテーション（ステップ１４１０）において、１つのトランスポートブロックが分割されるコードブロックの数である。ここで、NIRは、対応するトランスポートブロックのためのソフトバッファサイズであり、ビットの数によって表現される。NIRは、以下の数式（６）によって与えられる。
【０２５５】
【数６】
2018003913.tif 000008
【０２５６】
ここで、端末装置１が、送信モード３、４、８、９、または１０に基づいてＰＤＳＣＨ送信を受信するよう設定されている場合、KMIMOは２であり、且つ、それ以外の場合、KMIMOは１である。KMIMOは、端末装置１が設定されている送信モードに基づいて受信される１つのＰＤＳＣＨ送信が含むことができるトランスポートブロックの最大数と同じである。
【０２５７】
ここで、MDL_HARQは、対応する１つのサービングセルにおいて並行して管理される下りリンクＨＡＲＱプロセスの最大数である。ＦＤＤサービングセルに対して、MDL_HARQは８であってもよい。ＴＤＤサービングセルに対して、MDL_HARQは上りリンク−下りリンク設定に対応してもよい。ここで、Mlimitは８である。
【０２５８】
ここで、Kcは、｛１、３／２、２、３、および、５｝のうちの何れか１つである。Kcの設定方法の説明は省略する。
【０２５９】
ここで、Nsoftは、ＵＥカテゴリー、または、下りリンクＵＥカテゴリーに応じたソフトチャネルビットの総数である。Nsoftは、能力パラメータue-Category (without suffix)、能力パラメータue-Category-v1020、能力パラメータue-Category-v1170、および、能力パラメータue-CategoryDL-r12のうちの何れか１つによって与えられる。
【０２６０】
すなわち、リダンダンリーバージョンrvidxは、レートマッチングのために用いられるパラメータであり、ビット選択および除去のために用いられるパラメータである。
【０２６１】
バンドル内における最初のＰＵＳＣＨ送信のためのリダンダンリーバージョンrvidxは、上りリンクグラントに含まれるＭＣＳおよび／またはリダンダンシーバージョンに関する情報（Modulation and coding scheme and/or redundancy version）に基づいて与えられる。
【０２６２】
バンドル内における最初のＰＤＳＣＨ送信のためのリダンダンリーバージョンrvidxは、下りリンクアサインメントに含まれるリダンダンシーバージョンに関する情報（Modulation and coding scheme and/or redundancy version）に基づいて与えられる。
【０２６３】
最初の送信を除く、バンドル内における送信のそれぞれのためのリダンダンリーバージョンrvidxは、第１の決定方法、第２の決定方法、および、第３の決定方法に基づいて与えられてもよい。以下の要素（Ａ）から要素（Ｉ）の一部、または、全部に少なくとも基づいて、第１の決定方法、第２の決定方法、および、第３の決定方法のうちの１つが選択されてもよい。下りリンク（ＰＤＳＣＨ）に対する決定方法は、上りリンクに対する決定方法とは異なってもよい。
・要素（Ａ）：ＰＵＳＣＨ送信の場合、バンドルに対応する上りリンクグラントが対応するＲＮＴＩ
・要素（Ｂ）：ＰＤＳＣＨ送信の場合、バンドルに対応する下りリンクアサインメントに対応するＲＮＴＩ
・要素（Ｃ）：ＰＵＳＣＨ送信の場合、バンドルに対応する上りリンクグラント内のフィールドの値
・要素（Ｄ）：ＰＤＳＣＨ送信の場合、バンドルに対応する下りリンクアサインメント内のフィールドの値
・要素（Ｅ）：上位層の信号（ＲＲＣメッセージ）によって示されるパラメータ
・要素（Ｆ）：第４のパラメータが設定されているかどうか
・要素（Ｇ）：バンドル、または、バンドル内の送信のそれぞれが送信されるタイミング
・要素（Ｈ）：バンドル、または、バンドル内の送信のそれぞれが送信される周波数、コンポーネントキャリア、または、セル
・要素（Ｉ）：バンドルの送信が動的（dynamically）にスケジュールされているか、セミパーシステントスケジュールされているか
例えば、バンドルに対応する上りリンクグラントが対応するＲＮＴＩがＣ−ＲＮＴＩであり、第４のパラメータが設定されている場合、第１の決定方法が選択されてもよい。例えば、バンドルに対応する上りリンクグラントが対応するＲＮＴＩがＳＰＳ  Ｃ−ＲＮＴＩであり、第４のパラメータが設定されていない場合、第１の決定方法が選択されてもよい。例えば、バンドルに対応する上りリンクグラントが対応するＲＮＴＩがＳＰＳ  Ｃ−ＲＮＴＩであり、第４のパラメータが設定されている場合、第２の決定方法が選択されてもよい。
【０２６４】
図１７は、本実施形態におけるバンドル内の送信のそれぞれのためのリダンダンシーバージョンの第１の決定方法を説明するための図である。図１７において、サブフレームバンドリングオペレーションが設定された端末装置１は、サブフレームｎ２１において、ＰＵＳＣＨの初期送信を実行してもよい。また、サブフレームバンドリングオペレーションが設定された端末装置１は、サブフレームｎ２２、サブフレームｎ２３、および、サブフレームｎ２４において、ＰＵＳＣＨのノンアダプティブ再送信を実行してもよい。端末装置１は、サブフレームｎ２１において、リダンダンシーバージョン２に関連するＰＵＳＣＨ初期送信を行う。当該リダンダンシーバージョン２は、上りリンクグラントに含まれるＭＣＳおよび／またはリダンダンシーバージョンに関する情報（Modulation and coding scheme and/or redundancy version）に基づいて与えられる。
【０２６５】
端末装置１は、サブフレームｎ２２において、リダンダンシーバージョン３に関連するＰＵＳＣＨノンアダプティブ再送信を行う。端末装置１は、サブフレームｎ２３において、リダンダンシーバージョン１に関連するＰＵＳＣＨノンアダプティブ再送信を行う。端末装置１は、サブフレームｎ２４において、リダンダンシーバージョン０に関連するＰＵＳＣＨノンアダプティブ再送信を行う。すなわち、端末装置１は、サブフレームｎ２２、サブフレームｎ２３、および、サブフレームｎ２４のそれぞれにおいて、バンドル内の直前のＰＵＳＣＨ送信に対応するリダンダンシーバージョンをインクリメントしながらＰＵＳＣＨノンアダプティブ再送信を実行してもよい。リダンダンシーバージョンは、０、２、３、１の順にインクリメントされる。リダンダンシーバージョン１の次は、リダンダンシーバージョン０である。
【０２６６】
図１８は、本実施形態におけるバンドル内の送信のそれぞれのためのリダンダンシーバージョンの第２の決定方法を説明するための図である。図１８において、サブフレームバンドリングオペレーションが設定された端末装置１は、サブフレームｎ３１において、ＰＵＳＣＨの初期送信を実行してもよい。また、サブフレームバンドリングオペレーションが設定された端末装置１は、サブフレームｎ３２、サブフレームｎ３３、および、サブフレームｎ３４において、ＰＵＳＣＨのノンアダプティブ再送信を実行してもよい。端末装置１は、サブフレームｎ３１において、リダンダンシーバージョン２に関連するＰＵＳＣＨ初期送信を行う。当該リダンダンシーバージョン２は、上りリンクグラントに含まれるＭＣＳおよび／またはリダンダンシーバージョンに関する情報（Modulation and coding scheme and/or redundancy version）に基づいて与えられる。
【０２６７】
端末装置１は、サブフレームｎ３２、サブフレームｎ３３、および、サブフレームｎ３４において、リダンダンシーバージョン２に関連するＰＵＳＣＨノンアダプティブ再送信を行う。すなわち、端末装置１は、サブフレームｎ３２、サブフレームｎ３３、および、サブフレームｎ３４のそれぞれにおいて、バンドル内の最初のＰＵＳＣＨ送信に対応するリダンダンシーバージョンと同じリダンダンシーバージョンに対応するＰＵＳＣＨノンアダプティブ再送信を実行してもよい。
【０２６８】
図１９は、本実施形態におけるバンドル内の送信のそれぞれのためのリダンダンシーバージョンの第３の決定方法を説明するための図である。図１９において、サブフレームバンドリングオペレーションが設定された端末装置１は、サブフレームｎ４１において、ＰＵＳＣＨの初期送信を実行してもよい。また、サブフレームバンドリングオペレーションが設定された端末装置１は、サブフレームｎ４２、サブフレームｎ４３、および、サブフレームｎ４４において、ＰＵＳＣＨのノンアダプティブ再送信を実行してもよい。端末装置１は、サブフレームｎ４１において、リダンダンシーバージョン２に関連するＰＵＳＣＨ初期送信を行う。当該リダンダンシーバージョン２は、上りリンクグラントに含まれるＭＣＳおよび／またはリダンダンシーバージョンに関する情報（Modulation and coding scheme and/or redundancy version）に基づいて与えられる。
【０２６９】
端末装置１は、サブフレームｎ４２において、リダンダンシーバージョン２に関連するＰＵＳＣＨノンアダプティブ再送信を行う。すなわち、端末装置１は、サブフレームｎ４２において、バンドル内の最初のＰＵＳＣＨ送信に対応するリダンダンシーバージョンと同じリダンダンシーバージョンに対応するＰＵＳＣＨノンアダプティブ再送信を実行してもよい。
【０２７０】
端末装置１は、サブフレームｎ４３、および、サブフレームｎ４４において、リダンダンシーバージョン３に関連するＰＵＳＣＨノンアダプティブ再送信を行う。すなわち、端末装置１は、サブフレームｎ４３、および、サブフレームｎ４４において、リダンダンシーバージョン３に関連するＰＵＳＣＨノンアダプティブ再送信を行う。すなわち、端末装置１は、サブフレームｎ４３、および、サブフレームｎ４４において、上りリンクグラントに含まれるＭＣＳおよび／またはリダンダンシーバージョンに関する情報（Modulation and coding scheme and/or redundancy version）に基づいて与えられるリダンダンシーバージョンをインクリメントすることによって与えられるリダンダンシーバージョンに対応するＰＵＳＣＨノンアダプティブ再送信を実行する。
【０２７１】
サブフレームｎ４１、および、サブフレームｎ４２のペアをブロックＡとも称する。サブフレームｎ４３、および、サブフレームｎ４４のペアをブロックＢとも称する。すなわち、サブフレームｎ４３、および、サブフレームｎ４４を含むブロックＢに対するリダンダンシーバージョン３は、サブフレームｎ４１、および、サブフレームｎ４２を含むブロックＡにおけるリダンダンシーバージョン２をインクリメントすることによって与えられる。
【０２７２】
以上、図面を参照して、上述までに記載してきた動作は、１つのサービングセルのみ（例えば、プライマリーセルのみ）で行われる動作として限定されてもよい。例えば、セミパーシステントスケジューリングに対応する動作、および、動的なスケジューリングに対応する動作が、１つのサービングセルのみで行われた場合にのみ、上述までに記載してきた動作が適用されてもよい。すなわち、例えば、セミパーシステントスケジューリングに対応する動作が、あるサービングセル（例えば、プライマリーセル）で行なわれ、動的なスケジューリングに対応する動作が、該あるサービングセルとは異なるサービングセル（例えば、セカンダリーセル）で行なわれた場合には、上述までに記載してきた動作は適用されなくてもよい。
【０２７３】
また、上述までに記載してきた動作は、複数のサービングセル（例えば、プライマリーセル、および、セカンダリーセル）を跨いで行われる動作であってもよい。例えば、セミパーシステントスケジューリングに対応する動作が、あるサービングセル（例えば、プライマリーセル）で行なわれ、動的なスケジューリングに対応する動作が、該あるサービングセルとは異なるサービングセル（例えば、セカンダリーセル）で行なわれた場合であっても、上述までに記載してきた動作が適用されてもよい。
【０２７４】
以下、本実施形態における、端末装置１および基地局装置３の種々の態様について説明する。
【０２７５】
（１）本実施形態の第１の態様は、端末装置１であって、少なくとも１つのプロセッサ、および、メモリを備え、前記少なくとも１つのプロセッサは、（ａ）ＨＡＲＱプロセス（Hybrid Automatic Repeat Request）に対応する第１の上りリンクグラントの受信処理を実行し、（ｂ）ＭＡＣ（Medium Access Control）エンティティの処理を実行し、前記ＭＡＣエンティティは、（ａ）前記ＨＡＲＱプロセスを管理するＨＡＲＱエンティティを備え、（ｂ）前記第１の上りリンクグラントを前記ＨＡＲＱエンティティに渡し、前記ＨＡＲＱエンティティは、    （ａ）前記第１の上りリンクグラントがＣ−ＲＮＴＩ（Cell Radio Network Temporary Identifier）にアドレスされており、前記第１の上りリンクグラントに関連する第１のＮＤＩが前記ＨＡＲＱプロセスの直前の送信における第２のＮＤＩと比較するとトグルされている場合、前記第１の上りリンクグラントを前記ＨＡＲＱプロセスに渡し、前記ＨＡＲＱプロセスに初期送信をトリガするよう指示し、（ｂ）第４のパラメータが設定されており、前記第１の上りリンクグラントがＳＰＳ  Ｃ−ＲＮＴＩ（Semi Persistent Scheduling Cell Radio Network Temporary Identifier）にアドレスされており、パディングＢＳＲ（Buffer Status Report）だけが送信可能な状態ではない場合、前記第１の上りリンクグラントを前記ＨＡＲＱプロセスに渡し、前記ＨＡＲＱプロセスに初期送信をトリガするよう指示し、（ｃ）前記第４のパラメータが設定されており、前記第１の上りリンクグラントが前記ＳＰＳ  Ｃ−ＲＮＴＩにアドレスされており、前記パディングＢＳＲ（Buffer Status Report）だけが送信可能な状態である場合、前記第１の上りリンクグラントを前記ＨＡＲＱプロセスに渡さず、前記ＨＡＲＱプロセスに初期送信をトリガするよう指示せず、前記第１の上りリンクグラントが前記Ｃ−ＲＮＴＩに対応しており、前記ＨＡＲＱプロセスに渡された前の第２の上りリンクグラントが、前記ＳＰＳ  Ｃ−ＲＮＴＩに対して受信される上りリンクグラント、または、設定される上りリンクグラントである場合、前記第１のＮＤＩの値に関わらず、前記ＨＡＲＱプロセスに対する前記第１のＮＤＩはトグルされているとみなされる。
【０２７６】
（２）本実施形態の第１の態様において、前記ＨＡＲＱエンティティは、（ａ）前記第１の上りリンクグラントが前記Ｃ−ＲＮＴＩにアドレスされており、前記第１の上りリンクグラントに関連する前記第１のＮＤＩが前記ＨＡＲＱプロセスの直前の送信における前記第２のＮＤＩと比較するとトグルされていない場合、前記第１の上りリンクグラントを前記ＨＡＲＱプロセスに渡し、前記ＨＡＲＱプロセスにアダプティブ再送信を生成するよう指示し、（ｂ）前記第４のパラメータが設定されておらず、前記第１の上りリンクグラントが前記ＳＰＳ  Ｃ−ＲＮＴＩにアドレスされている場合、前記パディングＢＳＲだけが送信可能な状態ではあるかどうかに関わらず、前記第１の上りリンクグラントを前記ＨＡＲＱプロセスに渡し、前記ＨＡＲＱプロセスに初期送信をトリガするよう指示する。
【０２７７】
（３）本実施形態の第１の態様において、前記ＭＡＣエンティティは、前記ＳＰＳ  Ｃ−ＲＮＴＩに対して受信される第３の上りリンクグラントがセミパーシステントアクティベーションを指示する場合、前記第３の上りリンクグラントを、前記設定される上りリンクグラントとして、前記メモリにストアする。
【０２７８】
（４）本実施形態の第２の態様は、端末装置１であって、下りリンク制御情報を含むＰＤＣＣＨ（Physical Downlink Control Channel）を受信する受信部１０５と、前記下りリンク制御情報に基づいて、１つのバンドルを送信する送信部１０７と、を備え、前記バンドルは、時間領域において連続する複数の送信を含み、前記バンドル内の最初の送信に対するリダンダンシーバージョンは、前記下りリンク制御情報に含まれるフィールドによって示され、前記最初の送信を除く他の連続する複数の送信のそれぞれに対するリダンダンシーバージョンは、上位層の信号によって示されるパラメータ、および、前記最初の送信に対するリダンダンシーバージョンに少なくとも基づいて与えられる。
【０２７９】
（５）本実施形態の第３の態様は、端末装置１であって、下りリンク制御情報を含むＰＤＣＣＨ（Physical Downlink Control Channel）を受信する受信部１０５と、前記下りリンク制御情報に基づいて、１つのバンドルの復号を実行する復号化部１０７１と、を備え、前記バンドルは、時間領域において連続する複数の送信を含み、前記バンドル内の最初の送信に対するリダンダンシーバージョンは、前記下りリンク制御情報に含まれるフィールドによって示され、前記最初の送信を除く他の連続する複数の送信のそれぞれに対するリダンダンシーバージョンは、上位層の信号によって示されるパラメータ、および、前記最初の送信に対するリダンダンシーバージョンに少なくとも基づいて与えられる。
【０２８０】
（６）本実施形態の第４の態様は、基地局装置３であって、下りリンク制御情報を含むＰＤＣＣＨ（Physical Downlink Control Channel）を送信する送信部３０５と、前記下りリンク制御情報に基づく１つのバンドルの送信を受信する受信部３０７と、を備え、前記バンドルは、時間領域において連続する複数の送信を含み、前記バンドル内の最初の送信に対するリダンダンシーバージョンは、前記下りリンク制御情報に含まれるフィールドによって示され、前記最初の送信を除く他の連続する複数の送信のそれぞれに対するリダンダンシーバージョンは、上位層の信号によって示されるパラメータ、および、前記最初の送信に対するリダンダンシーバージョンに少なくとも基づいて与えられる。
【０２８１】
（７）本実施形態の第５の態様は、基地局装置３であって、下りリンク制御情報を含むＰＤＣＣＨ（Physical Downlink Control Channel）を送信し、前記下りリンク制御情報に基づいて、１つのバンドルを送信する送信部３０５と、を備え、前記バンドルは、時間領域において連続する複数の送信を含み、前記バンドル内の最初の送信に対するリダンダンシーバージョンは、前記下りリンク制御情報に含まれるフィールドによって示され、前記最初の送信を除く他の連続する複数の送信のそれぞれに対するリダンダンシーバージョンは、上位層の信号によって示されるパラメータ、および、前記最初の送信に対するリダンダンシーバージョンに少なくとも基づいて与えられる。
【０２８２】
（８）本実施形態の第２、および、第４の態様において、前記時間領域において連続する複数の送信は、ＰＵＳＣＨ（Physical Uplink Shared Channel）の送信である。
【０２８３】
（９）本実施形態の第３、および、第５の態様において、前記時間領域において連続する複数の送信は、ＰＤＳＣＨ（Physical Downlink Shared Channel）の送信である。
【０２８４】
これにより、上りリンクデータを効率的に送信することができる。
【０２８５】
本発明の一態様に関わる上記実施形態に関わる基地局装置３、および端末装置１で動作するプログラムは、本発明の一態様に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０２８６】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２８７】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２８８】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２８９】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０２９０】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０２９１】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２９２】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２９３】
以上、この発明の実施形態に関して図面を参照して詳述してきたが、具体的な構成はこの実施形態に限られるものではなく、この発明の要旨を逸脱しない範囲の設計変更等も含まれる。また、本発明の一態様は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０２９４】
本発明の一態様は、例えば、通信システム、通信機器（例えば、携帯電話装置、基地局装置、無線ＬＡＮ装置、或いはセンサーデバイス）、集積回路（例えば、通信チップ）、又はプログラム等において、利用することができる。
【符号の説明】
【０２９５】
１（１Ａ、１Ｂ、１Ｃ）  端末装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング情報解釈部
１０１５  ＳＰＳ制御部
３０１１  無線リソース制御部
３０１３  スケジューリング部
３０１５  ＳＰＳ制御部
【図１】
2018003913.tif 000009
【図２】
2018003913.tif 000010
【図３】
2018003913.tif 000011
【図４】
2018003913.tif 000012
【図５】
2018003913.tif 000013
【図６】
2018003913.tif 000014
【図７】
2018003913.tif 000015
【図８】
2018003913.tif 000016
【図９】
2018003913.tif 000017
【図１０】
2018003913.tif 000018
【図１１】
2018003913.tif 000019
【図１２】
2018003913.tif 000020
【図１３】
2018003913.tif 000021
【図１４】
2018003913.tif 000022
【図１５】
2018003913.tif 000023
【図１６】
2018003913.tif 000024
【図１７】
2018003913.tif 000025
【図１８】
2018003913.tif 000026
【図１９】
2018003913.tif 000027
【国際調査報告】
2018003913.tif 000028
2018003913.tif 000029
2018003913.tif 000030